(57)【特許請求の範囲】
【請求項１】
Ｒ／Ｇ／Ｂの各チャンネル別に具備され、夫々のチャンネルのビデオ信号及びＯＳＤ信号を受け入れ、ビデオ選択信号及びＯＳＤ選択信号に基づいて前記ビデオ信号及びＯＳＤ信号を混合かつ増幅し、増幅された映像信号をディスプレイへ出力する三つの混合増幅回路と、
Ｒ／Ｇ／Ｂチャンネル夫々に対するＯＳＤ信号、ビデオ／ＯＳＤスイッチング信号、中間トーン信号及び複数のＯＳＤ制御信号を受け入れ、これらの信号に基づき前記ＯＳＤ選択信号及びビデオ選択信号を発生して出力する選択信号発生回路とを含み、
前記ビデオ／ＯＳＤスイッチング信号がＯＳＤ出力を指示し、かつ前記中間トーン信号が中間トーンビデオ出力を指示する場合、前記選択信号発生回路はＯＳＤウィンドウ内においてビデオ映像が中間トーンのＯＳＤ背景画面ラスタと共に表示できるよう前記ビデオ選択信号及びＯＳＤ選択信号を出力することを特徴とするオンスクリーンディスプレイ装置。
【請求項２】
前記選択信号発生回路は、
前記ビデオ／ＯＳＤスイッチング信号がＯＳＤ出力を指示し、前記中間トーン信号が中間トーンビデオ出力を指示し、かつ前記ＯＳＤ信号が所定の論理組合を表す場合に限って活性化する中間トーン表示信号を発生して出力する中間トーン表示信号発生部と、
前記ビデオ／ＯＳＤスイッチング信号を反転して、ビデオ信号のみ出力されるべき場合に活性化するビデオモード信号を出力する反転器と、
前記中間トーン表示信号を半分に減衰させる減衰器と、
前記ビデオモード信号と前記減衰器からの出力とを加算し、加算された結果を前記ビデオ選択信号及びＯＳＤ選択信号として出力する加算器と
を含むことを特徴とする請求項１に記載のオンスクリーンディスプレイ装置。
【請求項３】
前記複数のＯＳＤ制御信号は、
第１の制御信号及び第２の制御信号を含むことを特徴とする請求項２に記載のオンスクリーンディスプレイ装置。
【請求項４】
前記中間トーン表示信号発生部は、
第１及び第２のＯＳＤ制御信号がいずれも第２の論理レベルで、かつＲ ＯＳＤ、Ｇ ＯＳＤ、Ｂ ＯＳＤ信号がいずれも第２の論理レベルの場合に限って第１の論理レベルを出力する第１のＯＳＤ判断回路と、
第１のＯＳＤ制御信号が第２の論理レベルで、第２のＯＳＤ制御信号が第１の論理レベルであり、かつＯＳＤ信号のうちＲ ＯＳＤ及びＧ ＯＳＤが第２の論理レベルで、Ｂ ＯＳＤが第１の論理レベルの場合に限って第１の論理レベルを出力する第２のＯＳＤ判断回路と、
第１のＯＳＤ制御信号が第１の論理レベルで、第２のＯＳＤ制御信号が第２の論理レベルであり、かつＯＳＤ信号のうちＲ ＯＳＤ及びＢ ＯＳＤが第２の論理レベルで、Ｇ ＯＳＤが第１の論理レベルの場合に限って第１の論理レベルを出力する第３のＯＳＤ判断回路と、
第１及び第２のＯＳＤ制御信号がいずれも第１の論理レベルで、ＯＳＤ信号のうちＲ ＯＳＤが第２の論理レベルであり、かつＧ ＯＳＤ及びＢ ＯＳＤが第１の論理レベルの場合に限って第１の論理レベルを出力する第４のＯＳＤ判断回路と、
前記第１ないし第４のＯＳＤ判断回路からの出力を入力し、論理和演算を行う論理和ゲートと
を含むことを特徴とする請求項３に記載のオンスクリーンディスプレイ装置。
【請求項５】
前記選択信号発生回路は、
ビデオ／ＯＳＤスイッチング信号を受け入れ、前記ビデオ／ＯＳＤスイッチング信号に基づいて少なくとも一つのスイッチング信号を発生するビデオ／ＯＳＤスイッチング部と、
前記Ｒ／Ｇ／B ＯＳＤ信号のスイング幅を調整し、調整されたＲ／Ｇ／B ＯＳＤ信号が夫々第１の論理レベルか、それとも第２の論理レベルかを判断して、Ｒ／Ｇ／B ＯＳＤ信号が前記ＯＳＤ制御信号により決せられる所定の論理組合に該当する時にラスタ選択信号を出力するＯＳＤラスタ選択部と、
前記ビデオ／ＯＳＤスイッチング部及び前記ＯＳＤラスタ選択部から前記スイッチング信号及び前記ラスタ選択信号を夫々受け入れ、前記ＯＳＤ選択信号及びビデオ選択信号を発生する中間トーン信号発生部と
を含むことを特徴とする請求項１に記載のオンスクリーンディスプレイ装置。
【請求項６】
前記ビデオ／ＯＳＤスイッチング部は、
前記混合増幅回路がビデオ選択信号及びＯＳＤ選択信号のレベルを判断するのに利用される基準電圧を発生して出力することを特徴とする請求項５に記載のオンスクリーンディスプレイ装置。
【請求項７】
前記選択信号発生回路は、
前記Ｒ／Ｇ／B ＯＳＤ信号のスイング幅を調整し、調整されたＲ／Ｇ／B ＯＳＤ信号が夫々第１の論理レベルか、それとも第２の論理レベルかを判断して、Ｒ／Ｇ／B ＯＳＤ信号が前記ＯＳＤ制御信号により決せられる所定の論理組合に該当する時にラスタ選択信号を出力するＯＳＤラスタ選択部と、
前記ビデオ／ＯＳＤスイッチング信号、前記中間トーン信号及び前記ラスタ選択信号を受け入れ、前記ＯＳＤ選択信号及びビデオ選択信号を発生する中間トーン信号発生部と
を含むことを特徴とする請求項１に記載のオンスクリーンディスプレイ装置。
【請求項８】
前記ビデオ選択信号及び前記ＯＳＤ選択信号は一つの同じビデオ／ＯＳＤ選択信号であり、
前記三つの混合増幅回路は、前記ビデオ／ＯＳＤ選択信号が“ハイ”レベルの場合に夫々のチャンネルのビデオ信号のみ出力し、前記ビデオ／ＯＳＤ選択信号が“ロー”レベルの場合に夫々のチャンネルのＯＳＤ信号のみ出力し、かつ前記ビデオ／ＯＳＤ選択信号が中間レベルの場合には夫々のチャンネルのビデオ信号とＯＳＤ信号とを夫々中間レベルに減衰させ、また混合して出力することを特徴とする請求項１に記載のオンスクリーンディスプレイ装置。
【請求項９】
Ｒ／Ｇ／Ｂの各チャンネル別に具備され、夫々のチャンネルのビデオ信号及びＯＳＤ信号を受け入れ、ビデオ選択信号及びＯＳＤ選択信号に基づき前記ビデオ信号及びＯＳＤ信号を混合かつ増幅し、増幅された映像信号をディスプレイへ出力する三つの混合増幅回路と、
Ｒ／Ｇ／Ｂチャンネル夫々に対するＯＳＤ信号、ビデオ／ＯＳＤスイッチング信号、中間トーン信号及び複数のＯＳＤ制御信号を受け入れ、これらの信号に基づき前記ＯＳＤ選択信号及びビデオ選択信号を発生して出力する選択信号発生回路とを含み、
前記ビデオ／ＯＳＤスイッチング信号がＯＳＤ出力を指示し、かつ前記中間トーン信号が中間トーンビデオ出力を指示する場合に、前記選択信号発生回路は中間レベルのビデオ選択信号を出力することにより、前記ディスプレイ上において中間トーンのビデオ映像上にＯＳＤ文字が表示されるようにし、前記ビデオ／ＯＳＤスイッチング信号がＯＳＤ出力を指示し、かつ前記中間トーン信号が中間トーンビデオ出力を指示しない場合には、前記選択信号発生回路は非活性化レベルのビデオ選択信号と活性化レベルのＯＳＤ選択信号とを出力することにより、前記ＯＳＤ制御信号により決せられる所定の色相のＯＳＤウィンドウが前記ディスプレイ上に形成され、前記ウィンドウ内にＯＳＤ文字が表示されるようにすることを特徴とするオンスクリーンディスプレイ装置。
【請求項１０】
前記ビデオ選択信号及び前記ＯＳＤ選択信号は一つの同じビデオ／ＯＳＤ選択信号であり、
前記三つの混合増幅回路は前記ビデオ／ＯＳＤ選択信号が“ハイ”レベルの場合に夫々のチャンネルのビデオ信号のみ出力し、前記ビデオ／ＯＳＤ選択信号が“ロー”レベルの場合に夫々のチャンネルのＯＳＤ信号のみ出力し、かつ前記ビデオ／ＯＳＤ選択信号が中間レベルの場合には夫々のチャンネルのビデオ信号とＯＳＤ信号とを夫々中間レベルに減衰させ、また混合して出力することを特徴とする請求項９に記載のオンスクリーンディスプレイ装置。
【請求項１１】
表示される映像内に第１の所定数枚のＯＳＤウィンドウを形成し、前記第１の所定数枚のＯＳＤウィンドウのうち第２の所定数枚のＯＳＤウィンドウ内にＯＳＤ情報及びビデオ情報を中間トーンで表示するためのオンスクリーンディスプレイ装置において、
Ｒ／Ｇ／Ｂの各チャンネル別に具備され、夫々のチャンネルのビデオ信号及びＯＳＤ信号を受け入れ、ビデオ選択信号及びＯＳＤ選択信号に基づいて前記ビデオ信号及び前記ＯＳＤ信号を混合かつ増幅し、増幅された映像信号をディスプレイへ出力する三つの混合増幅回路と、
Ｒ／Ｇ／Ｂチャンネル夫々に対するＯＳＤ信号、ビデオ／ＯＳＤスイッチング信号、中間トーン信号及び前記第２の所定数のＯＳＤウィンドウ夫々に対するＯＳＤ制御信号を受け入れ、これらの信号に基づき前記ＯＳＤ選択信号及びビデオ選択信号を発生して出力する選択信号発生回路とを含み、
前記ビデオ／ＯＳＤスイッチング信号がＯＳＤ出力を指示し、かつ前記中間トーン信号が中間トーンビデオ出力を指示する場合、前記選択信号発生回路は前記第２の所定数枚のＯＳＤウィンドウ内に中間トーンのビデオ映像が中間トーンのＯＳＤ背景画面ラスタと共に表示できるよう前記ビデオ選択信号及び前記ＯＳＤ選択信号を出力することを特徴とするオンスクリーンディスプレイ装置。
【請求項１２】
前記ビデオ選択信号及び前記ＯＳＤ選択信号は一つの同じビデオ／ＯＳＤ選択信号であり、
前記三つの混合増幅回路は、前記ビデオ／ＯＳＤ選択信号が“ハイ”レベルの場合に夫々のチャンネルのビデオ信号のみ出力し、前記ビデオ／ＯＳＤ選択信号が“ロー”レベルの場合に夫々のチャンネルのＯＳＤ信号のみ出力し、かつ前記ビデオ／ＯＳＤ選択信号が中間レベルの場合には夫々のチャンネルのビデオ信号とＯＳＤ信号とを夫々中間レベルに減衰させ、また混合して出力することを特徴とする請求項１１に記載のオンスクリーンディスプレイ装置。
【請求項１３】
前記第２の所定数枚のＯＳＤウィンドウは、
第１のウィンドウ及び第２のウィンドウを含むことを特徴とする請求項１２に記載のオンスクリーンディスプレイ装置。
【請求項１４】
前記選択信号発生回路は、
前記ビデオ／ＯＳＤスイッチング信号がＯＳＤ出力を指示し、かつ前記中間トーン信号が中間トーンビデオ出力を指示する場合に限って活性化するゲート信号を発生するゲート信号発生部と、
前記ゲート信号と前記Ｒ／Ｇ／Ｂチャンネル夫々に対するＯＳＤ信号、及び前記第１のウィンドウに対する前記ＯＳＤ制御信号を受け入れ、前記ＯＳＤ信号が前記第１のウィンドウに対する前記ＯＳＤ制御信号に対応する組合を有しており、かつ前記ゲート信号が活性化した場合に限って活性化する第１のウィンドウ識別信号を出力する第１のＯＳＤ判断部と、
前記ゲート信号と前記Ｒ／Ｇ／Ｂチャンネル夫々に対するＯＳＤ信号、及び前記第２のウィンドウに対する前記ＯＳＤ制御信号を受け入れ、前記ＯＳＤ信号が前記第２のウィンドウに対する前記ＯＳＤ制御信号に対応する組合を有しており、かつ前記ゲート信号が活性化した場合に限って活性化する第２のウィンドウ識別信号を出力する第２のＯＳＤ判断部と、
前記第１のウィンドウ識別信号及び前記第２のウィンドウ識別信号を論理和演算する論理和演算部と、
前記論理和演算部からの出力を受け入れ、半分に減衰させる減衰器と、
前記ビデオ／ＯＳＤスイッチング信号を受けて反転を行い、ビデオ信号のみ出力されるべき時に活性化するビデオモード信号を発生する反転器と、
前記減衰器からの出力と前記ビデオモード信号とを加算し、加算された結果を前記ビデオ／ＯＳＤ選択信号として出力する加算器と
を含むことを特徴とする請求項１３に記載のオンスクリーンディスプレイ装置。
【請求項１５】
前記選択信号発生回路は、
前記ビデオ／ＯＳＤスイッチング信号がＯＳＤ出力を指示し、かつ前記中間トーン信号が中間トーンビデオ出力を指示する場合に限って活性化するゲート信号を発生するゲート信号発生部と、
前記Ｒ／Ｇ／Ｂチャンネル夫々に対するＯＳＤ信号と前記第１のウィンドウに対する前記ＯＳＤ制御信号とを受け入れ、前記ＯＳＤ信号が前記第１のウィンドウに対する前記ＯＳＤ制御信号に対応する組合を有する場合に限って活性化する第１のウィンドウ識別信号を出力する第１のＯＳＤ判断部と、
前記Ｒ／Ｇ／Ｂチャンネル夫々に対するＯＳＤ信号と前記第２のウィンドウに対する前記ＯＳＤ制御信号とを受け入れ、前記ＯＳＤ信号が前記第２のウィンドウに対する前記ＯＳＤ制御信号に対応する組合を有する場合に限って活性化する第２のウィンドウ識別信号を出力する第２のＯＳＤ判断部と、
前記第１のウィンドウ識別信号及び前記第２のウィンドウ識別信号を論理和演算する論理和演算部と、
前記論理和演算部からの出力と前記ゲート信号とを論理積演算する論理積演算部と、
前記論理積演算部からの出力を受け入れ、半分に減衰させる減衰器と、
前記ビデオ／ＯＳＤスイッチング信号を受けて反転を行い、ビデオ信号のみ出力されるべき時に活性化するビデオモード信号を発生する反転器と、
前記減衰器からの出力と前記ビデオモード信号とを加算し、加算された結果を前記ビデオ／ＯＳＤ選択信号として出力する加算器と
を含むことを特徴とする請求項１３に記載のオンスクリーンディスプレイ装置。
【請求項１６】
前記選択信号発生回路は、
前記Ｒ／Ｇ／Ｂチャンネル夫々に対するＯＳＤ信号と前記第１及び第２のウィンドウに対する前記ＯＳＤ制御信号とを受け入れ、前記ＯＳＤ信号が前記第１のウィンドウに対するＯＳＤ制御信号に対応する組合を有したり、前記ＯＳＤ信号が前記第２のウィンドウに対するＯＳＤ制御信号に対応する組合を有する時に限って活性化する少なくとも一つのラスタ選択信号を発生するＯＳＤラスタ選択部と、
前記少なくとも一つのラスタ選択信号と前記ビデオ／ＯＳＤスイッチング信号、及び前記中間トーン信号を受け入れ、前記ビデオ／ＯＳＤスイッチング信号がＯＳＤ出力を指示し、前記中間トーン信号が中間トーンビデオ出力を指示し、かつ前記ラスタ選択信号の少なくとも一つが活性化した時に中間レベルの前記ビデオ／ＯＳＤ選択信号を出力する中間トーン信号発生部と
を含むことを特徴とする請求項１３に記載のオンスクリーンディスプレイ装置。
【請求項１７】
前記ＯＳＤラスタ選択部は、
前記ＯＳＤ信号が前記第１のウィンドウに対するＯＳＤ制御信号に対応する組合を有する場合に活性化する第１のラスタ選択信号を発生する第１の比較回路と、
前記ＯＳＤ信号が前記第２のウィンドウに対するＯＳＤ制御信号に対応する組合を有する場合に活性化する第２のラスタ選択信号を発生する第２の比較回路とを含み、
前記中間トーン信号発生部は、前記第１のラスタ選択信号または第２のラスタ選択信号が活性化した時に中間レベルの前記ビデオ／ＯＳＤ選択信号を出力することを特徴とする請求項１６に記載のオンスクリーンディスプレイ装置。
【請求項１８】
前記選択信号発生回路は、
前記ビデオ／ＯＳＤスイッチング信号を受け入れ、前記ビデオ／ＯＳＤスイッチング信号に基づいてスイッチングし、かつ前記ビデオ／ＯＳＤスイッチング信号とは別の位相を有する少なくとも一つのスイッチング信号を発生するビデオ／ＯＳＤスイッチング部をさらに含み、
前記中間トーン信号発生部は、前記スイッチング信号を受け入れることを特徴とする請求項１６に記載のオンスクリーンディスプレイ装置。
【請求項１９】
前記ビデオ／ＯＳＤスイッチング部は、
前記混合増幅回路がビデオ／ＯＳＤ選択信号のレベルを判断するのに利用される基準電圧を発生して出力することを特徴とする請求項１８に記載のオンスクリーンディスプレイ装置。
【請求項２０】
前記選択信号発生回路は、
前記第１及び第２のウィンドウに対する前記ＯＳＤ制御信号と前記中間トーン信号とを受けてバッファリングを行い、電流駆動能力の進んだＯＳＤ制御信号と中間トーン信号とを出力するインタフェースバッファをさらに含み、
前記ＯＳＤラスタ選択部は前記インタフェースバッファから出力される前記電流駆動能力の進んだＯＳＤ制御信号を受け入れ、前記電流駆動能の進んだ中間トーン信号を受け入れることを特徴とする請求項１６に記載のオンスクリーンディスプレイ装置。
【発明の詳細な説明】
【０００１】
【発明の属する技術分野】
本発明はディスプレイ装置に係り、さらに詳細には、ディスプレイ装置においてビデオ信号にオンスクリーンディスプレイ信号を合成して増幅するビデオプリアンプ半導体装置に関する。
【０００２】
【従来の技術】
コンピュータなどに利用されるモニタまたは液晶表示装置においては、オンスクリーンディスプレイ（On-Screen Display ：ＯＳＤ）を介して文字などの情報をビデオ画像上に表示する必要がしばしばある。このＯＳＤ情報の例としては、例えば、使用者がモニタのコントラストやコンバージョンスを調整しようとするときに画面に表示されるコントラストやコンバージョンスレベル及び今調整中の項目の名称などが挙げられる。また、このＯＳＤ情報とビデオ信号とのミキシングはビデオプリアンプ内でなされる。
【０００３】
このように、ＯＳＤを介して文字などを画面に表示しようとする場合には、文字情報を強調して元の映像から目立たしめる必要がある。このように文字情報を強調するための方法としては、文字にシャドー処理をすることにより文字の縁部の一部をかげらせるシャドーイング（Shadowing)技法と、文字の輪郭を強調するボーダリング（Bordering)技法などが挙げられる。
【０００４】
文字を強調するための他の方法として、文字の表示される部分にＯＳＤウィンドウを形成して、このウィンドウ領域ではビデオ信号を遮断しＯＳＤ文字のみ表示する技法がある。図28は、ＯＳＤウィンドウ領域上にＯＳＤ文字が表示された画面の一例を示すものである。このＯＳＤウィンドウ領域においては通常いずれかの色合いで背景画面が形成され、この背景画面上にＯＳＤ文字が表示される。背景画面を構成するためのＯＳＤラスタは、通常黒色やシアン（Cyane)に固定されている。
【０００５】
一方、ＯＳＤウィンドウを形成する場合に、ウィンドウ領域でビデオ信号を完全に遮断するならば、使用者の映像に対する満足度が格段に低下してしまう。これにより、近年、ウィンドウ領域でビデオ信号を完全に遮断せず、ビデオ信号の利得を半分程度に落とし、映像のトーンを正常に比べ半分程度まで下げて、中間トーン（Half Tone)で表示したりしている。この場合、ＯＳＤ文字は中間トーンで表示された映像上に重畳され表示される。
【０００６】
【発明が解決しようとする課題】
しかし乍ら、一般にＯＳＤウィンドウ内に中間トーンで映像を表示するビデオプリアンプ集積回路（IC）は、ＯＳＤウィンドウ背景画面を選択的に中間トーンの映像で埋めたり、または背景画面ラスタの色相を選択し、選択された背景画面ラスタで埋める動作モードは支援できない。したがって、従来のビデオプリアンプIC内に組込まれたＯＳＤウィンドウ発生装置においては、ＯＳＤ情報の表示されるＯＳＤウィンドウ背景画面を単一の色相で埋めるか、それとも白の背景画面に中間トーンの映像を表示できるに過ぎなかった。さらに、単一色相の背景画面にＯＳＤ情報を表示するようになっているＯＳＤ装置において、ＯＳＤウィンドウの背景画面の色相は通常一つに固定されているので、他の色相に変更することはできなかった。
これにより、例えば、モニタの製造業者などのビデオプリアンプICの需要者は、購入したICが提供する一つの動作モードのみ実現できるだけで、該ICを使用し他の動作モードを実現することはできない。すなわち、モニタの用途に応じてＯＳＤウィンドウの表示方式を変更しようとする場合、モニタの製造業者は別のICを購入しなければならないといった不都合があった。
【０００７】
本発明は上記事情に鑑みてなされたものであり、目的は、ＯＳＤウィンドウを選択的に中間トーンのビデオ信号で埋めたり、または種々な色相のＯＳＤラスタのいずれか一つを任意に選択してＯＳＤ背景画面を埋めたり、または前記背景画面に中間トーンのビデオ信号と共に中間トーンのＯＳＤラスタを重畳させて表示することのできるオンスクリーンディスプレイ装置を提供するにある。
本発明の他の目的は、複数枚のＯＳＤウィンドウが表示可能であり、この複数枚のＯＳＤウィンドウとは無関係にＯＳＤウィンドウ背景画面の色相を選択し、しかもＯＳＤウィンドウ内では中間トーンのビデオ信号と中間トーンのＯＳＤラスタとを選択的に、または共に表示することのできるオンスクリーンディスプレイ装置を提供するにある。
【０００８】
【課題を解決するための手段】
前記目的を達成するための本発明に係るオンスクリーンディスプレイ装置においては、三つの混合増幅回路がＲ／Ｇ／Ｂの各チャンネル別に具備される。この三つの混合増幅回路は夫々のチャンネルのビデオ信号及びＯＳＤ信号を受け入れ、ビデオ選択信号及びＯＳＤ選択信号に基づいて前記ビデオ信号及びＯＳＤ信号を混合かつ増幅し、増幅された映像信号をディスプレイ装置へ出力する。選択信号発生回路は、Ｒ／Ｇ／Ｂチャンネル夫々に対するＯＳＤ信号、ビデオ／ＯＳＤスイッチング信号、中間トーン信号及び複数のＯＳＤ制御信号を受け入れ、これらの信号に基づき前記ＯＳＤ選択信号及びビデオ選択信号を発生して出力する。前記ビデオ／ＯＳＤスイッチング信号がＯＳＤ出力を指示し、かつ前記中間トーン信号が中間トーンビデオ出力を指示する場合、前記選択信号発生回路は所定のＯＳＤウィンドウ内においてビデオ映像が中間トーンのＯＳＤ背景画面ラスタと共に表示できるよう前記ビデオ選択信号及びＯＳＤ選択信号を出力する。
【０００９】
前記選択信号発生回路の一態様は、論理ゲートを使用して実現される。中間トーン表示信号発生部は、前記ビデオ／ＯＳＤスイッチング信号がＯＳＤ出力を指示し、前記中間トーン信号が中間トーンビデオ出力を指示し、かつ前記ＯＳＤ信号が所定の論理組合を表す場合に限って活性化する中間トーン表示信号を発生して出力する。反転器は、前記ビデオ／ＯＳＤスイッチング信号を反転して、ビデオ信号のみ出力されるべき時に活性化するビデオモード信号を出力する。減衰器は、前記中間トーン表示信号を半分に減衰させる。加算器は、前記ビデオモード信号と前記減衰器からの出力とを加算し、加算された結果を前記ビデオ選択信号及びＯＳＤ選択信号として出力する。
【００１０】
前記選択信号発生回路の他の態様は、トランジスタ及び受動素子を使用して実現される。ＯＳＤラスタ選択部は前記Ｒ／Ｇ／B ＯＳＤ信号のスイング幅を調整し、調整されたＲ／Ｇ／B ＯＳＤ信号が夫々第１の論理レベルか、それとも第２の論理レベルかを判断して、Ｒ／Ｇ／B ＯＳＤ信号が前記ＯＳＤ制御信号により決せられる所定の論理組合に該当する時にラスタ選択信号を出力する。中間トーン信号発生部は、前記ビデオ／ＯＳＤスイッチング信号、前記中間トーン信号及び前記ラスタ選択信号を受け入れ、前記ＯＳＤ選択信号及びビデオ選択信号を発生する。
【００１１】
前記他の目的を達成するための本発明に係るオンスクリーンディスプレイ装置は、表示される映像内に第１の所定数枚のＯＳＤウィンドウを形成し、前記第１の所定数枚のＯＳＤウィンドウのうち第２の所定数枚のＯＳＤウィンドウ内においてＯＳＤ情報及びビデオ情報を中間トーンで表示する。三つの混合増幅回路がＲ／Ｇ／Ｂの各チャンネル別に具備される。各混合増幅回路はチャンネルのビデオ信号及びＯＳＤ信号を受け入れ、ビデオ選択信号及びＯＳＤ選択信号に基づいて前記ビデオ信号及び前記ＯＳＤ信号を混合かつ増幅し、増幅された映像信号をディスプレイへ出力する。選択信号発生回路は、Ｒ／Ｇ／Ｂチャンネル夫々に対するＯＳＤ信号、ビデオ／ＯＳＤスイッチング信号、中間トーン信号及び前記第２の所定数のＯＳＤウィンドウ夫々に対するＯＳＤ制御信号を受け入れ、これらの信号に基づき前記ＯＳＤ選択信号及びビデオ選択信号を発生して出力する。前記ビデオ／ＯＳＤスイッチング信号がＯＳＤ出力を指示し、かつ前記中間トーン信号が中間トーンビデオ出力を指示する場合、前記選択信号発生回路は前記第２の所定数枚のＯＳＤウィンドウ内において中間トーンのビデオ映像が中間トーンのＯＳＤ背景画面ラスタと共に表示できるよう前記ビデオ選択信号及び前記ＯＳＤ選択信号を出力する。
【００１２】
本発明の望ましい実施例において、前記ビデオ選択信号及び前記ＯＳＤ選択信号は一つの同じビデオ／ＯＳＤ選択信号である。前記三つの混合増幅回路は、前記ビデオ／ＯＳＤ選択信号が“ハイ”レベルの場合に夫々のチャンネルのビデオ信号のみ出力し、前記ビデオ／ＯＳＤ選択信号が“ロー”レベルの場合に夫々のチャンネルのＯＳＤ信号のみ出力し、かつ前記ビデオ／ＯＳＤ選択信号が中間レベルの場合には夫々のチャンネルのビデオ信号とＯＳＤ信号とを夫々中間レベルに減衰させ、また混合して出力する。前記第２の所定数枚のＯＳＤウィンドウは第１のウィンドウ及び第２のウィンドウを含む。
【００１３】
前記選択信号発生回路の一態様は、論理ゲートを使用して実現される。ゲート信号発生部は、前記ビデオ／ＯＳＤスイッチング信号がＯＳＤ出力を指示し、かつ前記中間トーン信号が中間トーンビデオ出力を指示する場合に限って活性化するゲート信号を発生する。第１のＯＳＤ判断部は、前記ゲート信号と前記Ｒ／Ｇ／Ｂチャンネル夫々に対するＯＳＤ信号、及び前記第１のウィンドウに対する前記ＯＳＤ制御信号を受け入れ、前記ＯＳＤ信号が前記第１のウィンドウに対する前記ＯＳＤ制御信号に対応する組合を有しており、前記ゲート信号が活性化した時に限って活性化する第１のウィンドウ識別信号を出力する。第２のＯＳＤ判断部は、前記ゲート信号と前記Ｒ／Ｇ／Ｂチャンネル夫々に対するＯＳＤ信号、及び前記第２のウィンドウに対する前記ＯＳＤ制御信号を受け入れ、前記ＯＳＤ信号が前記第２のウィンドウに対する前記ＯＳＤ制御信号に対応する組合を有しており、前記ゲート信号が活性化した時に限って活性化する第２のウィンドウ識別信号を出力する。論理和演算部は、前記第１のウィンドウ識別信号及び前記第２のウィンドウ識別信号を論理和演算する。減衰器は、前記論理和演算部からの出力を受け入れ、半分に減衰させる。反転器は、前記ビデオ／ＯＳＤスイッチング信号を受けて反転を行い、ビデオ信号のみ出力されるべき時に活性化するビデオモード信号を発生する。加算器は、前記減衰器からの出力と前記ビデオモード信号とを加算し、加算された結果を前記ビデオ／ＯＳＤ選択信号として出力する。
【００１４】
前記選択信号発生回路の他の態様は、トランジスタ及び受動素子を使用して実現される。ＯＳＤラスタ選択部は、前記Ｒ／Ｇ／Ｂチャンネル夫々に対するＯＳＤ信号と前記第１及び第２のウィンドウに対する前記ＯＳＤ制御信号とを受け入れ、前記ＯＳＤ信号が前記第１のウィンドウに対するＯＳＤ制御信号に対応する組合を有したり、前記ＯＳＤ信号が前記第２のウィンドウに対するＯＳＤ制御信号に対応する組合を有する時に限って活性化する少なくとも一つのラスタ選択信号を発生する。中間トーン信号発生部は、前記少なくとも一つのラスタ選択信号と前記ビデオ／ＯＳＤスイッチング信号及び前記中間トーン信号を受け入れ、前記ビデオ／ＯＳＤスイッチング信号がＯＳＤ出力を指示し、前記中間トーン信号が中間トーンビデオ出力を指示し、かつ前記ラスタ選択信号の少なくとも一つが活性化した時に中間レベルの前記ビデオ／ＯＳＤ選択信号を出力する。
【００１５】
【発明の実施の形態】
以下、添付の図面に基づき本発明の好適な実施の形態について説明する。ただし、実施の形態は単なる例示的なものに過ぎず、本発明がこれに限定されることはない。本発明の属する技術分野の当業者なら、本発明の技術的な思想内で下記の実施の形態に対し種々なる変形及び変更が可能であることは明らかである。
オンスクリーンディスプレイ装置の一実施形態
図１は、本発明に係るオンスクリーンディスプレイ装置の一実施形態を示すものである。図１を参照すれば、オンスクリーンディスプレイ装置は、選択信号発生回路１と、Ｒ／Ｇ／Ｂチャンネルの混合増幅回路３、４、５とを含む。
前記選択信号発生回路１は、Ｒ／Ｇ／Ｂチャンネル夫々に対するＯＳＤ信号Ｒ ＯＳＤ、Ｇ ＯＳＤ、Ｂ ＯＳＤ、ビデオ／ＯＳＤスイッチング信号Ｖ／Ｏ ＳＷＩＴＣＨ、中間トーン信号HT及びＯＳＤ制御信号HS0 、HS1 を受け入れ、これらの信号に基づきビデオ／ＯＳＤ選択信号Ｖ／Ｏ ＳＳＥＬを発生して出力する。
【００１６】
前記入力信号のうちＯＳＤ信号Ｒ ＯＳＤ、Ｇ ＯＳＤ、Ｂ ＯＳＤは別のＯＳＤ制御器（図示せず）から入力される。ビデオ／ＯＳＤスイッチング信号Ｖ／Ｏ ＳＷＩＴＣＨは、ＯＳＤモードが動作したかどうかを表す信号であり、同じくＯＳＤ制御器から入力される。ビデオ／ＯＳＤスイッチング信号Ｖ／Ｏ ＳＷＩＴＣＨは、ＯＳＤモードでは“ハイ”レベルを有し、そうでない場合には“ロー”レベルを有する。
中間トーン信号HTは、外部のマイクロコントローラ（図示せず）から入力される信号であって、ビデオ信号が中間トーンで表示されるべきか否かを指示する信号である。この中間トーン信号HTが“ハイ”の値を有し、かつＯＳＤ信号Ｒ ＯＳＤ、Ｇ ＯＳＤ、Ｂ ＯＳＤが所定の論理的組合を有する場合には、ビデオ信号が中間トーンで表示されるが、これについては後で述べる。
ＯＳＤ制御信号HS0 、HS1 は、特定の色相でＯＳＤウィンドウの背景画面を表示するためにＯＳＤラスタを選択する制御信号である。これらの制御信号HS0 、HS1 はモニタまたは液晶表示装置の製造業者によりプログラミングされ、マイクロコントローラから選択信号発生回路１へ入力される。
【００１７】
図２は、ＯＳＤウィンドウ内においてＯＳＤ制御信号HS0 、HS1 によるビデオ信号及びＯＳＤラスタが中間トーンで表示される区間と、このときのＯＳＤ背景画面のラスタ色相を示すものである。
もし、HS0=“ロー”、HS1=“ロー”であれば、ＯＳＤ信号Ｒ ＯＳＤ、Ｇ ＯＳＤ、Ｂ ＯＳＤが夫々“ロー”、“ロー”、“ロー”の時にビデオ信号及びＯＳＤ背景画面ラスタが中間トーンで表示され、このときＯＳＤ背景画面ラスタは黒色となる。このとき、もし、中間トーン信号HTが活性化しているならば、ビデオ信号及びＯＳＤ背景画面信号が中間トーンで表示される。しかし乍ら、中間トーン信号HTが活性化していない場合には、ＯＳＤ背景画面はＯＳＤ背景画面ラスタのみで埋められる。
HS0=“ロー”、HS1=“ハイ”の場合、ＯＳＤ信号Ｒ ＯＳＤ、Ｇ ＯＳＤ、Ｂ ＯＳＤが夫々“ロー”、“ロー”、“ハイ”の時にビデオ信号及びＯＳＤ背景画面ラスタが中間トーンで表示され、このときＯＳＤ背景画面ラスタは青色となる。HS0=“ハイ”、HS1=“ロー”の場合、ＯＳＤ信号Ｒ ＯＳＤ、Ｇ ＯＳＤ、Ｂ ＯＳＤが夫々“ロー”、“ハイ”、“ロー”の時にビデオ信号及びＯＳＤ背景画面ラスタが中間トーンで表示され、このときＯＳＤ背景画面ラスタは緑色となる。HS0=“ハイ”、HS1=“ハイ”の場合、ＯＳＤ信号Ｒ ＯＳＤ、Ｇ ＯＳＤ、Ｂ ＯＳＤが夫々“ロー”、“ハイ”、“ハイ”の時にビデオ信号及びＯＳＤ背景画面ラスタが中間トーンで表示され、このときＯＳＤ背景画面ラスタはシアンとなる。
【００１８】
図１の混合増幅回路３、４、５は、各チャンネルのビデオ信号及びＯＳＤ信号を受け入れ、前記ビデオ／ＯＳＤ選択信号Ｖ／Ｏ ＳＥＬに基づき前記ビデオ信号及びＯＳＤ信号を混合かつ増幅して出力する。
【００１９】
図３は、図１の混合増幅回路３、４、５のいずれか一つをさらに詳細に示すものである。
ビデオ信号選択部７は、一方の入力端子を介してビデオ／ＯＳＤ選択信号Ｖ／Ｏ ＳＥＬを受け入れ、他方の入力端子を介してビデオ信号を受け入れる。ビデオ／ＯＳＤ選択信号Ｖ／Ｏ ＳＥＬが“ハイ”レベルの場合、ビデオ信号選択部７は受入れられたビデオ信号を増幅部９へ出力するが、ビデオ／ＯＳＤ選択信号Ｖ／Ｏ ＳＥＬが“ロー”レベルの場合には、ビデオ信号選択部７はビデオ信号を出力しない。一方、ビデオ／ＯＳＤ選択信号Ｖ／Ｏ ＳＥＬが中間レベルの場合には、ビデオ信号選択部７は受入れられたビデオ信号を半分に減衰させ、減衰された信号を増幅部９へ出力する。
ＯＳＤ信号選択部８は、一方の入力端子を介してビデオ／ＯＳＤ選択信号Ｖ／Ｏ ＳＥＬを受け入れ、他方の入力端子を介してＯＳＤ信号を受け入れる。ビデオ／ＯＳＤ選択信号Ｖ／Ｏ ＳＥＬが“ロー”レベルの場合、ＯＳＤ信号選択部８は受入れられたＯＳＤ信号を増幅部９へ出力するが、ビデオ／ＯＳＤ選択信号Ｖ／Ｏ ＳＥＬが“ハイ”レベルの場合には、ＯＳＤ信号選択部８はＯＳＤ信号を出力しない。一方、ビデオ／ＯＳＤ選択信号Ｖ／Ｏ ＳＥＬが中間レベルの場合には、ＯＳＤ信号選択部８は受入れられたＯＳＤ信号を半分に減衰させ、減衰された信号を増幅部９へ出力する。
増幅部９はビデオ信号選択部７及びＯＳＤ信号選択部８から夫々選択的に出力されるビデオ信号及びＯＳＤ信号を入力し、これらの信号を混合かつ増幅し、増幅された信号を、例えば、陰極線管の電子銃（図示せず）などのディスプレイ駆動部へ出力する。
【００２０】
図29は、本実施形態に従い一枚のＯＳＤウィンドウ内においてビデオ信号及びＯＳＤ背景画面ラスタが中間トーンで表示された画面の一例を示す。図29に示す画面においては、中間トーンのＯＳＤ背景画面ラスタが中間トーンのビデオ信号と共に表示される。そして、背景画面とは別の色相を有するＯＳＤ文字がウィンドウ内に表示される。
【００２１】
図４は、図１の選択信号発生回路１の一実施例を示すものである。この選択信号発生回路１は論理積ゲート10、第１ないし第４のＯＳＤ判断回路12、20、28、36、論理和ゲート46、減衰器48、反転器50及び加算器52を含む。
論理積ゲート10は、中間トーン信号HTとビデオ／ＯＳＤスイッチング信号Ｖ／Ｏ ＳＷＩＴＣＨとを受け入れ、論理積演算を行う。従って、中間トーン信号HTとビデオ／ＯＳＤスイッチング信号Ｖ／Ｏ ＳＷＩＴＣＨとがいずれも“ハイ”レベルで入力される時に限って、論理積ゲート10は“ハイ”レベルを出力する。論理積ゲート10の出力は、第１ないし第４のＯＳＤ判断回路12、20、28、36においてゲート信号として作用する。すなわち、論理積ゲート10が“ハイ”レベルを出力する場合、第１ないし第４のＯＳＤ判断回路12、20、28、36夫々の中にある論理積ゲート18、26、34、44から他の入力との間の論理積演算の結果が論理和ゲート46へ伝えられる。しかし、もし論理積ゲート10が“ロー”レベルを出力する場合、第１ないし第４のＯＳＤ判断回路12、20、28、36夫々の中にある論理積ゲート18、26、34、44は“ロー”レベルを出力し、論理和ゲート46も“ロー”レベルを出力する。
論理和ゲート46は、第１ないし第４のＯＳＤ判断回路12、20、28、36の出力に対し論理和演算を行う。減衰器48は、論理和ゲート46の出力を１／２だけ減衰させ、減衰された信号を出力する。一方、反転器50は、ビデオ／ＯＳＤスイッチング信号Ｖ／Ｏ ＳＷＩＴＣＨを反転させ、反転された信号を出力する。加算器52は、減衰器48及び反転器50からの出力信号を加算し、加算された結果をビデオ／ＯＳＤ選択信号Ｖ／Ｏ ＳＥＬとして出力する。
【００２２】
図５ないし図７は、図４に示す回路において入力信号による出力信号を示すものである。
以下、図５ないし図７に基づき図４の選択信号発生回路１の動作をさらに詳細に説明する。
区間60、64、68、72では、ビデオ／ＯＳＤスイッチング信号Ｖ／Ｏ ＳＷＩＴＣＨが“ロー”レベルを有してビデオモード動作が行われる。このとき、論理積ゲート10は“ロー”レベルを出力し、そこで、論理和ゲート46も“ロー”レベルを出力する。しかし、反転器50が“ハイ”レベルを出力する。これにより、加算器52は“ハイ”レベルを有するビデオ／ＯＳＤ選択信号Ｖ／Ｏ ＳＥＬを出力することになる。“ハイ”レベルのビデオ／ＯＳＤ選択信号Ｖ／Ｏ ＳＥＬに応答して、図１の混合増幅回路３、４、５はＲ／Ｇ／Ｂビデオ信号を出力する。
【００２３】
区間62、70では、ビデオ／ＯＳＤスイッチング信号Ｖ／Ｏ ＳＷＩＴＣＨが“ハイ”レベルを有してＯＳＤモード動作が行われる。しかし、中間トーン信号HTが“ロー”レベルを有するので、論理積ゲート10は“ロー”レベルを出力し、そこで、論理和ゲート46も“ロー”レベルを出力する。また反転器50も“ロー”レベルを出力する。これにより、加算器52は“ロー”レベルを有するビデオ／ＯＳＤ選択信号Ｖ／Ｏ ＳＥＬを出力することになる。このビデオ／ＯＳＤ選択信号Ｖ／Ｏ ＳＥＬは、ＯＳＤ選択信号Ｏ ＳＥＬ及びビデオ選択信号Ｖ ＳＥＬとして混合増幅回路３、４、５のビデオ信号選択部及びＯＳＤ信号選択部へ印加される。前記ＯＳＤ選択信号Ｏ ＳＥＬ及びビデオ選択信号Ｖ ＳＥＬが混合増幅回路３、４、５へ印加されれば、ＯＳＤ信号のみが図１の混合増幅回路３、４、５から出力され、ＯＳＤ情報のみ表示される。このＯＳＤ情報はＯＳＤ文字情報と背景画面とを含み、背景画面はＯＳＤ制御信号HS0 、HS1 により決せられる特定の色相を有することになる。
【００２４】
区間66、74では、ビデオ／ＯＳＤスイッチング信号Ｖ／Ｏ ＳＷＩＴＣＨが“ハイ”レベルを有してＯＳＤ動作モードを表し、中間トーン信号HTが“ハイ”レベルを有する。このときは、ビデオ信号及びＯＳＤ背景画面ラスタ信号がいずれも中間トーンで表示される。次に、これについて具体的に説明する。
【００２５】
図６（Ａ）のように、HS0=“ロー”、HS1=“ロー”のレベルを有すると仮定する。この場合、第１のＯＳＤ判断回路12において、ＯＳＤ制御信号HS0 、HS1 がいずれも“ロー”レベルであるから、反転論理和ゲート16は“ハイ”レベルを出力する。一方、ゲート22、30、42が夫々“ロー”レベルを出力するので、第２ないし第４のＯＳＤ判断回路20、28、36は“ロー”レベルを出力し、非活性化する。
第１のＯＳＤ判断回路12において、反転論理和ゲート14はＯＳＤ信号Ｒ ＯＳＤ、Ｇ ＯＳＤ、Ｂ ＯＳＤがいずれも“ロー”レベルの時に限って“ハイ”レベルを出力する。従って、ＯＳＤ信号Ｒ ＯＳＤ、Ｇ ＯＳＤ、Ｂ ＯＳＤがいずれも“ロー”レベルの時に限って、論理積ゲート18は“ハイ”レベルを出力し、これにより論理和ゲート46は“ハイ”レベルを出力する。そして、減衰器48は、論理和ゲート46の出力を１／２だけ減衰させ、“中間”レベルの信号を出力する。このとき反転器50は、ビデオ／ＯＳＤスイッチング信号Ｖ／Ｏ ＳＷＩＴＣＨを反転し、“ロー”レベルを出力する。加算器52は、減衰器48からの出力と反転器50からの出力とを加算し、“中間”レベルのビデオ／ＯＳＤ選択信号Ｖ／Ｏ ＳＥＬを出力する。従って、ＯＳＤ信号Ｒ ＯＳＤ、Ｇ ＯＳＤ、Ｂ ＯＳＤがいずれも“ロー”レベルの時、すなわち“B1”及び“B2”部分でのみ中間トーンの黒色ＯＳＤ背景画面ラスタが中間トーンのビデオ情報と共に表示される。
【００２６】
図６（Ｂ）のように、HS0=“ロー”、HS1=“ハイ”のレベルを有すると仮定する。この場合、ゲート16、30、42が夫々“ロー”レベルを出力するので、第１、第３及び第４のＯＳＤ判断回路12、28、36は“ロー”レベルを出力し、非活性化する。
第２のＯＳＤ判断回路20において、ＯＳＤ信号Ｇ ＯＳＤが“ハイ”レベルであり、かつＯＳＤ信号Ｒ ＯＳＤ、Ｂ ＯＳＤが“ロー”レベルの時に限って、論理積ゲート26は“ハイ”レベルを出力し、これにより論理和ゲート46は“ハイ”レベルを出力する。そして、減衰器48は、論理和ゲート46からの出力を１／２だけ減衰させ、“中間”レベルの信号を出力する。このとき反転器50は、ビデオ／ＯＳＤスイッチング信号Ｖ／Ｏ ＳＷＩＴＣＨを反転し、“ロー”レベルを出力する。加算器52は、減衰器48からの出力と反転器50からの出力とを加算し、“中間”レベルのビデオ／ＯＳＤ選択信号Ｖ／Ｏ ＳＥＬを出力する。従って、ＯＳＤ信号Ｇ ＯＳＤが“ハイ”レベルであり、かつＯＳＤ信号Ｒ ＯＳＤ、Ｂ ＯＳＤが“ロー”レベルの時、すなわち“C1”及び“C2”部分でのみ中間トーンの青色ＯＳＤ背景画面ラスタが中間トーンのビデオ情報と共に表示される。
【００２７】
図７（Ａ）のように、HS0=“ハイ”、HS1=“ロー”のレベルを有すると仮定する。この場合、ゲート16、22、42が夫々“ロー”レベルを出力するので、第１、第２及び第４のＯＳＤ判断回路12、20、36は“ロー”レベルを出力し、非活性化する。
第３のＯＳＤ判断回路28において、ＯＳＤ信号Ｂ ＯＳＤが“ハイ”レベルであり、かつＯＳＤ信号Ｒ ＯＳＤ、Ｇ ＯＳＤが“ロー”レベルの時に限って、論理積ゲート34は“ハイ”レベルを出力し、これにより論理和ゲート46は“ハイ”レベルを出力する。従って、ＯＳＤ信号Ｂ ＯＳＤが“ハイ”レベルであり、かつＯＳＤ信号Ｒ ＯＳＤ、Ｇ ＯＳＤが“ロー”レベルの時、すなわち“D1”及び“D2”部分でのみ中間トーンの緑色ＯＳＤ背景画面ラスタが中間トーンのビデオ情報と共に表示される。
【００２８】
図７（Ｂ）のように、HS0=“ハイ”、HS1=“ハイ”レベルを有すると仮定する。この場合、ゲート16、24、30が夫々“ロー”レベルを出力するので、第１、第２及び第３のＯＳＤ判断回路12、20、28は“ロー”レベルを出力し、非活性化する。
第４のＯＳＤ判断回路36において、ＯＳＤ信号Ｒ ＯＳＤが“ロー”レベルであり、かつＯＳＤ信号Ｇ ＯＳＤ、Ｂ ＯＳＤが“ハイ”レベルの時に限って、論理積ゲート44は“ハイ”レベルを出力し、これにより論理和ゲート46は“ハイ”レベルを出力する。従って、ＯＳＤ信号Ｒ ＯＳＤが“ロー”レベルであり、かつＯＳＤ信号Ｇ ＯＳＤ、Ｂ ＯＳＤが“ハイ”レベルの時、すなわち“E1”及び“E2”部分でのみ中間トーンのシアンＯＳＤ背景画面ラスタが中間トーンのビデオ情報と共に表示される。
【００２９】
上述のように、本実施例によれば、ＯＳＤを実現するにあたって各種の色相のＯＳＤラスタのいずれか一つを任意に選択してＯＳＤ背景画面を表示することができ（区間62、70）、ＯＳＤ表示領域においてビデオ信号及びＯＳＤ信号を中間トーンで表示することも可能になる（区間66、74）。
【００３０】
図８は、図１の選択信号発生回路１の他の実施例を示すものである。
図８を参照すれば、選択信号発生回路１はビデオ／ＯＳＤスイッチング部110 と、ＯＳＤラスタ選択部120 と、ＯＳＤ中間トーン信号発生部130 とを含む。図８には、混合増幅回路３、４、５が共に示してある。
【００３１】
前記ビデオ／ＯＳＤスイッチング部110 は、ビデオ／ＯＳＤスイッチング信号Ｖ／Ｏ ＳＷＩＴＣＨを受け入れ、第１及び第２のスイッチング信号SW1 、SW2 を発生して出力する。また、ビデオ／ＯＳＤスイッチング部110 は、ビデオ／ＯＳＤ選択信号Ｖ／Ｏ ＳＥＬのレベルを判断するための基準電圧REFVを発生して出力する。
前記ＯＳＤラスタ選択部120 は、入力されるＲＧＢ  ＯＳＤ信号のスイング幅を調整した後に、ＯＳＤ動作モード時ＯＳＤ制御信号HS0 、HS1 により決せられるＯＳＤ信号入力タイミングにラスタ選択信号ＲＳＶを出力し、複数のＯＳＤラスタのいずれか一つを選択せしめる。
前記ＯＳＤ中間トーン信号発生部130 は、中間トーン信号HTが中間トーンビデオ出力を指示する場合に、前記第１及び第２のスイッチング信号SW1 、SW2 及びＯＳＤ制御信号HS0 、HS1 に基づきビデオ／ＯＳＤ選択信号Ｖ／Ｏ ＳＥＬを発生して出力する。
【００３２】
本発明への理解を助けるために、図８及び図９ないし図12に表記された各信号について簡単に説明すれば以下の通りである。
−ビデオ／ＯＳＤスイッチング信号Ｖ／Ｏ ＳＷＩＴＣＨ：TTL レベル、すなわち０〜５Ｖ間でスイッチングされる。
−第１のスイッチング信号SW1 ：ビデオ／ＯＳＤスイッチング信号Ｖ／Ｏ ＳＷＩＴＣＨとは逆相を有し、５．１〜６Ｖの範囲でスイングする信号。
−基準電圧REFV1 ：第１のスイッチング信号SW1 のスイング幅の中心レベルを有する信号。
−第２のスイッチング信号SW2 ：ビデオ／ＯＳＤスイッチング信号Ｖ／Ｏ ＳＷＩＴＣＨとは逆相を有し、４．３５〜５．２５Ｖの範囲でスイングする信号。−基準電圧REFV：第２のスイッチング信号SW2 のスイング幅の中心レベルを有する信号。
−ＯＳＤ制御信号ＨＳＩ：ＯＳＤウィンドウの背景画面ラスタを選択するためにＧ ＯＳＤ信号を制御する信号であり、０．１〜２．１Ｖ間でスイッチングされる。
−ＯＳＤ制御信号ＨＳＯ：ＯＳＤウィンドウの背景画面ラスタを選択するためにＢ ＯＳＤ信号を制御する信号であり、０．１〜２．１Ｖ間でスイッチングされる。
−ラスタ選択信号ＲＳＶ：ＯＳＤ制御信号HS0 、HS1 に基づき特定のＯＳＤ信号組合に対してのみ活性化することにより、ＯＳＤ背景画面ラスタを選択せしめる信号。
−中間トーン信号HT：０．１〜３．１Ｖ間でスイッチングし、中間トーンモード動作を指示する時に“ハイ”レベルを有する。
−モード制御信号ＨＴ ＲＳ：ＯＳＤ動作区間では１．０１Ｖを有してＯＳＤラスタ選択部をイネーブルさせ、ＯＳＤ動作区間でない動作区間では０Ｖを有してＯＳＤラスタ選択部をディスエーブルさせる信号。
−選択基準電圧BS2 ：ＯＳＤ制御信号HS0 、HS1 のレベルを判断するための目安となる信号。
【００３３】
図９は、図８のビデオ／ＯＳＤスイッチング部110 をさらに詳細に示す図である。
図９を参照すれば、トランジスタQ1、Q2はビデオ／ＯＳＤスイッチング信号Ｖ／Ｏ ＳＷＩＴＣＨの上限を一定の範囲に制限するための比較器を構成する。トランジスタQ1のベースには、ビデオ／ＯＳＤスイッチング信号Ｖ／Ｏ ＳＷＩＴＣＨが入力される。抵抗R1、R2及びトランジスタQ3、Q4は、数式１で表現される第１の基準電流Ｉref,1 を形成し、トランジスタQ2のベースへ数式２で表現される基準電圧ＶＡを印加せしめる。
【数１】
0003735750.tif 000002
【数２】
0003735750.tif 000003
本実施例において、前記基準電圧ＶA は２．８Ｖの大きさを有する。
【００３４】
一方、トランジスタQ5、Q6は、ビデオ／ＯＳＤスイッチング信号Ｖ／Ｏ ＳＷＩＴＣＨのスイング範囲の下限を一定の範囲に制限するための比較器を構成する。抵抗R5、R6、R7、R8及びトランジスタQ12 、Q13 は、数式３で表現される第２の基準電流Ｉref,2 を形成し、トランジスタQ6のベースへ数式４で表現される基準電圧ＶＢを印加せしめる。
【数３】
0003735750.tif 000004
【数４】
0003735750.tif 000005
本実施例において、前記基準電圧ＶB は１．５Ｖの大きさを有する。一方、前記第２の基準電流Ｉref,2 はトランジスタQ12 、Q13 を含む電流ミラーによりトランジスタQ14 、Q15 、Q16 、Q7のコレクタにも繰り返される。
【００３５】
ビデオ／ＯＳＤスイッチング信号Ｖ／Ｏ ＳＷＩＴＣＨが“ハイ”レベルの時にトランジスタQ1はターンオフされ、トランジスタQ2はターンオンされる。このとき、ノード112 の電位は基準電圧ＶA よりも１Ｖbeだけ高まり、約３．６Ｖを有する。ノード112 の電位はトランジスタQ5のベースへ印加される。このとき、トランジスタQ5はターンオンされ、トランジスタQ6はターンオフされ、第２の基準電流Ｉref,2 に等しい大きさを有するトランジスタQ7のコレクタ電流はトランジスタQ5を介して流れることになる。このとき、ノード114 の電位は数式５で表現され、約５．１Ｖの値を有する。またこの電圧が第１のスイッチング信号SW1 として出力される。
【数５】
0003735750.tif 000006
【００３６】
一方、ビデオ／ＯＳＤスイッチング信号Ｖ／Ｏ ＳＷＩＴＣＨが“ロー”レベルを有する時トランジスタQ1はターンオンされ、トランジスタQ2はターンオフされる。このとき、ノード112 の電位は下降し、トランジスタQ5をターンオフさせ、トランジスタQ6をターンオンさせる。従って、トランジスタQ5を介してはほとんど電流が流れず、トランジスタQ7のコレクタ電流はトランジスタQ6を介して流れることになる。このとき、ノード114 の電位、すなわち、第１のスイッチング信号SW1 は数式６で表現され、約６Ｖの値を有する。
【数６】
0003735750.tif 000007
【００３７】
このように、第１のスイッチング信号SW1 はビデオ／ＯＳＤスイッチング信号Ｖ／Ｏ ＳＷＩＴＣＨに基づき５．１〜６Ｖの範囲においてスイングする。
もう一つのスイッチング信号の第２のスイッチング信号SW2 は、ビデオ／ＯＳＤスイッチング信号Ｖ／Ｏ ＳＷＩＴＣＨからＶbe.8だけ降下された大きさを有する。したがって、第２のスイッチング信号SW2 は、第１のスイッチング信号SW1 に等しい位相を有し、４．３５〜５．２５Ｖの範囲でスイングする。
【００３８】
一方、図８のビデオ／ＯＳＤスイッチング部は、二つの基準電圧REFV1 、REFVを発生して出力する。前記基準電圧REFV1 は以下の数式７に従い計算され、５．５５Ｖの値を有する。
【数７】
0003735750.tif 000008
そして、基準電圧REFVは基準電圧REFV1 からＶbe10だけ降下された大きさを有する。
【００３９】
図10（Ａ）ないし図10（Ｃ）は、図９の回路において入力信号による出力信号を示すグラフである。図10（Ａ）に示すように、TTL レベルのビデオ／ＯＳＤスイッチング信号Ｖ／Ｏ ＳＷＩＴＣＨが入力される時第１のスイッチング信号SW1 は前記ビデオ／ＯＳＤスイッチング信号Ｖ／Ｏ ＳＷＩＴＣＨとは逆相を有し、５．１〜６Ｖの範囲でスイングする。基準電圧REF1は、前記第１のスイッチング信号SW1 のスイング幅の中心レベルを有する。もう一つのスイッチング信号の第２のスイッチング信号SW2 は、第１のスイッチング信号SW1 に等しい位相を有し、４．３５〜５．２５Ｖの範囲でスイングする。基準電圧REFVは前記第２のスイッチング信号SW2 のスイング幅の中心レベルを有する。
【００４０】
図11は、図８のＯＳＤラスタ選択部120 をさらに詳細に示すものである。
図11を参照すれば、ＯＳＤラスタ選択部120 はレベル調整回路122 と比較回路124 とを含む。レベル調整回路122 は、Ｒ／Ｇ／ＢチャンネルＯＳＤ信号Ｒ ＯＳＤ、Ｇ ＯＳＤ、Ｂ ＯＳＤのスイング幅を調整し、比較回路124 へ供給する。比較回路124 は、ＯＳＤ制御信号HS0 、HS1 に基づいてＯＳＤ信号の特定の論理組合が入力される時に限って活性化するラスタ選択信号ＲＳＶを出力する。
【００４１】
レベル調整回路122 において、抵抗R11 、R12 は第３の基準電流Ｉref,3 を形成し、電源電圧ＶCCを分配して電圧ＶC がトランジスタQ23 のベースへ供給されるようにする。トランジスタQ22 、Q23 は、ＲチャンネルＯＳＤ信号Ｒ ＯＳＤのスイング幅を調整するために、ＲチャンネルＯＳＤ信号Ｒ ＯＳＤと前記電圧ＶC とを比較する。その比較結果によってトランジスタQ21 のコレクタ電圧は可変し、この電圧はスイング幅の調整されたＲチャンネルＯＳＤ信号Ｒ ＯＳＤ’として比較回路124 へ供給される。調整されたＲチャンネルＯＳＤ信号Ｒ ＯＳＤ’の“ロー”レベル及び“ハイ”レベルは次の数式８によって決せられ、本実施例においては、例えば、夫々２．９Ｖ及び３．７Ｖの値を有する。
【数８】
0003735750.tif 000009
【００４２】
抵抗R13 、R14 は第４の基準電流Ｉref,4 を形成し、電源電圧ＶCCを分配して電圧ＶD がトランジスタQ27 のベースへ供給されるようにする。トランジスタQ26 、Q27 は、ＧチャンネルＯＳＤ信号Ｇ ＯＳＤのスイング幅を調整するために、ＧチャンネルＯＳＤ信号Ｇ ＯＳＤと前記電圧ＶD とを比較する。その比較結果によってトランジスタQ25 のコレクタ電圧は可変し、この電圧はスイング幅の調整されたＧチャンネルＯＳＤ信号Ｇ OSD'として比較回路124 へ供給される。調整されたＧチャンネルＯＳＤ信号Ｇ ＯＳＤ’は２．９Ｖないし３．７Ｖの範囲においてスイングする。
【００４３】
同じく、抵抗R15 、R16 は第５の基準電流Ｉref,5 を形成し、電源電圧ＶCCを分配して電圧ＶE がトランジスタQ31 のベースへ供給されるようにする。トランジスタQ30 、Q31 は、ＢチャンネルＯＳＤ信号Ｂ ＯＳＤのスイング幅を調整するために、ＢチャンネルＯＳＤ信号Ｂ ＯＳＤと前記電圧ＶE とを比較する。その比較結果によってトランジスタQ29 のコレクタ電圧は可変し、この電圧はスイング幅の調整されたＢチャンネルＯＳＤ信号Ｂ ＯＳＤ’として比較回路124 へ供給される。調整されたＢチャンネルＯＳＤ信号B Ｒ ＯＳＤ’は２．９Ｖないし３．７Ｖの範囲においてスイングする。
【００４４】
一方、トランジスタQ24 のエミッタ電圧は電圧ＶC よりも１Ｖbeだけ高く、ＲチャンネルＯＳＤ基準信号Ｒ ＯＳＤ ｒｅｆとして比較回路124 へ出力される。トランジスタQ28 のエミッタ電圧は電圧ＶD よりも１Ｖbeだけ高く、ＧチャンネルＯＳＤ基準電圧Ｇ ＯＳＤ ｒｅｆとして比較回路124 へ出力される。トランジスタQ32 のエミッタ電圧は電圧ＶE よりも１Ｖbeだけ高く、ＢチャンネルＯＳＤ基準信号Ｂ ＯＳＤ ｒｅｆとして比較回路124 へ出力される。
【００４５】
比較回路124 は、図８のＯＳＤ中間トーン信号発生部130 から入力されるモード制御信号ＨＴ ＲＳに基づいて動作が制御される。すなわち、モード制御信号ＨＴ ＲＳが“ハイ”レベルの時にはトランジスタQ33 、Q34 、Q35 が電流を供給することになり、比較回路124 が動作をする。しかし、モード制御信号ＨＴ ＲＳが“ロー”レベルの時にはトランジスタQ33 、Q34 、Q35 が遮断され、比較回路124 が動作をしなくなる。以下の説明ではモード制御信号ＨＴ ＲＳを“ハイ”レベルと仮定する。
【００４６】
トランジスタQ36 、Q37 及びトランジスタQ38 、Q39 から構成された比較器はＯＳＤ制御信号HS1 、HS0 を中間トーン信号発生回路130 からの選択基準電圧BS2 と比較し、その比較結果によって上段のトランジスタ対Q40 及びQ41 、Q42 及びQ43 、Q44 及びQ45 、Q46 及びQ47 、Q48 及びQ49 から構成された比較器の動作を制御する。
トランジスタ対Q40 及びQ41 、Q42 及びQ43 、Q44 及びQ45 、Q46 及びQ47 、Q48 及びQ49 からなる五つの比較器は前記調整されたＯＳＤ信号Ｒ ＯＳＤ’、Ｇ ＯＳＤ’、Ｂ ＯＳＤ’を前記ＲＧＢチャンネルのＯＳＤ基準電圧Ｒ ＯＳＤ ｒｅｆ、Ｇ ＯＳＤ ｒｅｆ、Ｂ ＯＳＤ ｒｅｆと比較する。その比較結果によってアクティブロー信号のラスタ選択信号ＲＳＶが活性化または非活性化する。後述のように、前記ラスタ選択信号ＲＳＶが“ハイ”に非活性化した間にはビデオ／ＯＳＤ選択信号Ｖ／Ｏ ＳＥＬが“ハイ”レベルを有するが、前記ラスタ選択信号ＲＳＶが“ロー”に活性化した間には、ビデオ／ＯＳＤ選択信号Ｖ／Ｏ ＳＥＬが中間トーン信号HTにより“ロー”または中間レベルを有する。
【００４７】
HS0=“ロー”、HS1=“ロー”のレベルを有すると仮定する。この場合、トランジスタQ36 は非活性化し、トランジスタQ37 が活性化する。またトランジスタQ38 は非活性化し、トランジスタQ39 が活性化する。したがって、トランジスタ対Q40 及びQ41 、Q44 及びQ45 、Q48 及びQ49 が動作をする。これにより、信号Ｒ ＯＳＤ’、Ｇ ＯＳＤ’、Ｂ ＯＳＤ’がいずれも“ロー”レベルの時に限ってラスタ選択信号ＲＳＶが“ロー”レベルに活性化する。したがって、この時は黒色ＯＳＤラスタが選択される。
【００４８】
HS0=“ロー”、HS1=“ハイ”のレベルを有すると仮定する。この場合、トランジスタQ36 が活性化し、トランジスタQ37 は非活性化する。またトランジスタQ38 は非活性化し、トランジスタQ39 が活性化する。したがって、トランジスタ対Q40 及びQ41 、Q42 及びQ43 、Q48 及びQ49 が動作をする。これにより、信号Ｒ ＯＳＤ’、Ｇ ＯＳＤ’が“ロー”レベルで、かつ信号Ｂ ＯＳＤ’が“ハイ”レベルの時に限ってラスタ選択信号ＲＳＶが活性化する。したがって、この時は青色のＯＳＤラスタが選択される。
【００４９】
HS0=“ハイ”、HS1=“ロー”のレベルを有すると仮定する。この場合、トランジスタQ36 は非活性化し、トランジスタQ37 が活性化する。またトランジスタQ38 が活性化し、トランジスタQ39 は非活性化する。従って、トランジスタ対Q40 及びQ41 、Q44 及びQ45 、Q46 及びQ47 が動作をする。これにより、信号Ｒ ＯＳＤ’、Ｂ ＯＳＤ’が“ロー”レベルで、かつ信号Ｇ ＯＳＤ’が“ハイ”レベルの時に限ってラスタ選択信号ＲＳＶが活性化する。したがって、この時は緑色のＯＳＤラスタが選択される。
【００５０】
HS0=“ハイ”、HS1=“ハイ”のレベルを有すると仮定する。この場合、トランジスタQ36 が活性化し、トランジスタQ37 は非活性化する。またトランジスタQ38 が活性化し、トランジスタQ39 は非活性化する。従って、トランジスタ対Q40 及びQ41 、Q42 及びQ43 、Q46 及びQ47 が動作をする。これにより、信号Ｒ ＯＳＤ’が“ロー”レベルで、かつ信号Ｇ ＯＳＤ’、Ｂ ＯＳＤ’が“ハイ”レベルの時に限ってラスタ選択信号ＲＳＶが活性化する。したがって、この時はシアンのＯＳＤラスタが選択される。
【００５１】
図12は、図８のＯＳＤ中間トーン信号発生部130 をさらに詳細に示すものである。図12のＯＳＤ中間トーン信号発生部130 は、モード制御信号発生回路132 、出力信号発生回路136 及び基準信号発生回路138 を含む。
【００５２】
前記モード制御信号発生回路132 は、中間トーン信号HT及び第２のスイッチング信号SW2 を受け入れ、モード制御信号ＨＴ ＲＳを発生して図11のＯＳＤラスタ選択部120 へ出力する。前記出力信号発生回路136 は、ラスタ選択信号ＲＳＶと、第１のスイッチング信号SW1 及び第２のスイッチング信号SW2 から２Ｖbeだけ降下された信号 SW2〜2Vbeを受け入れ、ビデオ／ＯＳＤ選択信号Ｖ／Ｏ ＳＥＬを発生して出力する。前記基準信号発生回路138 は、複数の基準電圧を発生して前記モード制御信号発生回路132 及び出力信号発生回路136 へ供給し、選択基準電圧BS2 を発生して図11のＯＳＤラスタ選択部120 へ出力する。
【００５３】
前記基準信号発生回路138 において、直列に接続してある抵抗R25 、R26 、R27 、R28 及びトランジスタQ72 は電源電圧ＶCCを分配し、所定の電圧をトランジスタQ61 のベースへ供給することにより、トランジスタQ61 を介して一定の電流が流れるようにする。また、トランジスタQ70 のベースが一定にバイアスされているがために、トランジスタQ70 、Q71 を介して所定の基準電流Ｉref,6 が流れるが、この電流はトランジスタQ68 の各種のトランジスタへ繰り返し流れる。
【００５４】
モード制御信号発生回路132 において、トランジスタQ53 、Q54 は比較器を構成する。トランジスタQ53 のベースには、トランジスタQ55 、Q56 により２Ｖbeだけ降下された第２のスイッチング信号、すなわち、 SW2〜2Vbeが印加される。一方、中間トーン信号HTは中間トーンモード時３．１Ｖレベルを有するが、トランジスタQ51 により１Ｖbeだけ降下された後にトランジスタQ52 により１Ｖbeだけ上昇され、トランジスタQ54 のベースへ印加される。すなわち、トランジスタQ54 のベースには、中間トーン信号HTが印加されると言える。もし、第２のスイッチング信号SW2 が“ハイ”レベルであれば（ビデオ区間を表す）、トランジスタQ53 は活性化し、トランジスタQ54 は非活性化する。これにより、トランジスタQ60 及び抵抗R22 を介してほとんど電流が流れず、モード制御信号ＨＴ ＲＳは約０Ｖの“ロー”レベルにあることになる。一方、もし、第２のスイッチング信号SW2 が“ロー”レベルであれば（ＯＳＤ区間を表す）、トランジスタQ53 は非活性化し、トランジスタQ54 は活性化する。これによりトランジスタQ60 及び抵抗R22 を介して電流が流れる。トランジスタQ57 、Q58 から構成された電流ミラーにおいて、トランジスタQ58 はトランジスタQ57 に比べ約３倍の電流を供給することになっている。従って、この際のモード制御信号ＨＴ ＲＳの大きさは数式９で表現され、１．０１Ｖの“ハイ”レベルにあることになる。
【数９】
0003735750.tif 000010
【００５５】
出力信号発生回路136 において、トランジスタQ62 、Q63 は比較器を構成する。トランジスタQ62 のベースには、中間トーン信号HTに等しいレベルの信号が印加される。トランジスタQ63 のベースには、２Ｖbeだけ降下された第２のスイッチング信号、すなわち、 SW2〜2Vbeが印加される。前記トランジスタQ62 は、中間トーン信号HTが“ハイ”レベルで、かつ第２のスイッチング信号SW2 が“ロー”レベルの時に限って活性化し、トランジスタQ64 、Q65 からなるバッファを動作させる。このとき、基準電圧REFV1 に等しい電圧がトランジスタQ69 のベースへ印加され、抵抗R23 、R24 を経てビデオ／ＯＳＤ選択信号Ｖ／Ｏ ＳＥＬとして出力される。このとき、ＲＳＶ信号を介して図11のＯＳＤラスタ選択部120 へ出力される電流は無視できる程度であり、したがってビデオ／ＯＳＤ選択信号Ｖ／Ｏ ＳＥＬは基準電圧REFV1 に等しいレベルとなる。一方、第２のスイッチング信号SW2 が“ハイ”レベル（ビデオ区間のことを表す）であれば、第２のスイッチング信号SW2 がトランジスタQ66 、Q67 からなるバッファへ入力され、トランジスタQ69 及び抵抗R23 、R24 を経てビデオ／ＯＳＤ選択信号Ｖ／Ｏ ＳＥＬとして出力される。
【００５６】
図12において、バッファ133 、134 、135 はＯＳＤ制御信号HS0 、HS1 及び中間トーン信号HTを受けてバッファリングを行うことにより、出力ノードの電流負荷を最小化する。したがって、図11のＯＳＤラスタ選択部120 においては、ＯＳＤ制御信号HS0 、HS1 に代えてバッファリングされた信号HS0'、HS1'が利用される。しかし、以上の説明では便宜上バッファリングされた信号HS0'、HS1'がＯＳＤ制御信号HS0 、HS1 として記されている。
【００５７】
図13（Ａ）ないし図13（Ｃ）は、上記実施例を利用して実現されたオンスクリーンディスプレイ装置ICに対するシミュレーション結果を示す波形図である。
図13（Ａ）、ビデオ／ＯＳＤスイッチング信号Ｖ／Ｏ ＳＷＩＴＣＨの波形を示し、図13（Ｂ）はビデオ／ＯＳＤ選択信号Ｖ／Ｏ ＳＥＬの波形を示し、図13（Ｃ）は任意のあるチャンネルに対する混合増幅回路の出力波形を示す。図13（Ａ）ないし図13（Ｃ）のシミュレーションでは、区間82ないし88において中間トーン信号HTが活性化し、区間90ないし96においては中間トーン信号HTが非活性化したと仮定している。
【００５８】
区間82は、ＯＳＤ制御信号HS0 、HS1 （図示せず）に基づきビデオ／ＯＳＤ選択信号Ｖ／Ｏ ＳＥＬが互いに別のレベルを有する二つの小区間82a 、82b に区分できる。小区間82a では、ビデオ／ＯＳＤ選択信号Ｖ／Ｏ ＳＥＬが“ロー”レベルにあり、これにより何ら信号が出力されない。一方、小区間82b では、ビデオ／ＯＳＤ選択信号Ｖ／Ｏ ＳＥＬが基準電圧REFVに等しいレベルにあり、これによりビデオ信号及びＯＳＤ信号が中間トーンとして出力される。区間86における動作も区間82における動作と同様である。
区間84、88、92、96はビデオ出力区間であり、中間トーン信号HTと無関係にビデオ信号のみ出力される。一方、区間90においてはビデオ／ＯＳＤ選択信号Ｖ／Ｏ ＳＥＬが“ロー”レベルにあり、これによりＯＳＤ信号のみ出力される。区間94における動作も区間90における動作と同様である。
【００５９】
以上のように、本実施例によれば、ＯＳＤを実現するにあたって各種の色相のＯＳＤラスタのいずれか一つを任意に選択し、ＯＳＤ背景画面を表示することができ、ＯＳＤ表示領域においてビデオ信号及びＯＳＤ信号を中間トーンで表示することも可能である。
【００６０】
オンスクリーンディスプレイ装置の他の実施形態
図14は、二つのＯＳＤウィンドウを実現するための本発明に係るオンスクリーンディスプレイ装置の他の実施形態を示すものである。このオンスクリーンディスプレイ装置は、選択信号発生回路201 と、Ｒ／Ｇ／Ｂチャンネルの混合増幅回路３、４、５とを含む。
前記選択信号発生回路201 は、Ｒ／Ｇ／Ｂチャンネルの夫々に対するＯＳＤ信号Ｒ ＯＳＤ、Ｇ ＯＳＤ、Ｂ ＯＳＤ、ビデオ／ＯＳＤスイッチング信号Ｖ／Ｏ ＳＷＩＴＣＨ、中間トーン信号HT及びＯＳＤ制御信号HS1 ないしHS6 を受け入れ、これらの信号に基づきビデオ／ＯＳＤ選択信号Ｖ／Ｏ ＳＥＬを発生して出力する。
【００６１】
前記入力信号のうちＯＳＤ信号Ｒ ＯＳＤ、Ｇ ＯＳＤ、Ｂ ＯＳＤは、別のＯＳＤ制御器（図示せず）から入力される。ビデオ／ＯＳＤスイッチング信号Ｖ／Ｏ ＳＷＩＴＣＨは、ＯＳＤモードが動作したか否かを表す信号であり、同じくＯＳＤ制御器から入力される。ビデオ／ＯＳＤスイッチング信号Ｖ／Ｏ ＳＷＩＴＣＨは、ＯＳＤモードでは“ハイ”レベルを有し、そうでない場合には“ロー”レベルを有する。
中間トーン信号HTは、外部のマイクロコントローラ（図示せず）から入力される信号であり、ビデオ信号が中間トーンで表示されるべきかどうかを指示する信号である。中間トーン信号HTは、通常モニタまたは液晶表示装置の使用者がＯＳＤウィンドウ領域においてＯＳＤラスタ及びビデオ信号を中間トーンで表示しようとする時、モニタまたは液晶表示装置に具備された中間トーン表示ボタンを押下することにより“ハイ”レベルにイネーブルされる。この中間トーン信号HTが“ハイ”値を有し、ＯＳＤ信号Ｒ ＯＳＤ、Ｇ ＯＳＤ、Ｂ ＯＳＤが所定の論理的組合を有する場合には、ビデオ信号が中間トーンで表示されるが、これについては後で述べる。
【００６２】
ＯＳＤ制御信号HS1 ないしHS6 は、特定の色相でＯＳＤウィンドウの背景画面を表示するために、ＯＳＤラスタを選択する制御信号である。これらの制御信号HS1 ないしHS6 は、モニタまたは液晶表示装置の使用者によってプログラミングされ、マイクロコントローラから選択信号発生回路201 へ入力される。本発明の好適な実施例において、ＯＳＤウィンドウは２枚まで表示でき、各ウィンドウに対し３個のＯＳＤ制御信号が使用され、８個のＯＳＤラスタ色相のいずれかを選択する。すなわち、ＯＳＤ制御信号HS1 ないしHS3 は第１のＯＳＤウィンドウの背景画面のＯＳＤラスタを選択するに使用され、ＯＳＤ制御信号HS4 ないしHS6 は第２のＯＳＤウィンドウの背景画面のＯＳＤラスタを選択するに使用される。しかし、本発明の他の実施例においては、各ウィンドウに対し２個のＯＳＤ制御信号が使用され、４個のＯＳＤラスタ色相のいずれかを選択することもある。また、本発明のさらに他の実施例においては、３枚のＯＳＤウィンドウが同時に表示されることもある。この場合、各ウィンドウのラスタを別にして選択するために、別の制御信号がさらに供給されることもある。
【００６３】
図15は、第１のウィンドウ内においてＯＳＤ制御信号HS1 ないしHS3 によるビデオ信号及びＯＳＤラスタが中間トーンで表示される区間と、このときのＯＳＤ背景画面ラスタ色相を示す。
もし、HS1=“ロー”、HS2=“ロー”、HS3=“ロー”であれば、ＯＳＤ信号Ｒ ＯＳＤ、Ｇ ＯＳＤ、Ｂ ＯＳＤが夫々“ロー”、“ロー”、“ロー”の時ビデオ信号及びＯＳＤ背景画面ラスタが中間トーンで表示され、このときＯＳＤ背景画面ラスタは黒色となる。このとき、もし、中間トーン信号HTが活性化しているならば、ビデオ信号及びＯＳＤ背景画面信号が中間トーンで表示される。しかし、中間トーン信号HTが活性化していないならば、ＯＳＤ背景画面はＯＳＤ背景画面ラスタのみで埋められる。
【００６４】
HS1=“ロー”、HS2=“ロー”、HS3=“ハイ”であれば、ＯＳＤ信号Ｒ ＯＳＤ、Ｇ ＯＳＤ、Ｂ ＯＳＤが夫々“ロー”、“ロー”、“ハイ”の時ビデオ信号及びＯＳＤ背景画面ラスタが中間トーンで表示され、このときＯＳＤ背景画面ラスタは青色となる。HS1=“ロー”、HS2=“ハイ”、HS3=“ロー”であれば、ＯＳＤ信号Ｒ ＯＳＤ、Ｇ ＯＳＤ、Ｂ ＯＳＤが夫々“ロー”、“ハイ”、“ロー”の時ビデオ信号及びＯＳＤ背景画面ラスタが中間トーンで表示され、このときＯＳＤ背景画面ラスタは緑色となる。HS1=“ロー”、HS2=“ハイ”、HS3=“ハイ”であれば、ＯＳＤ信号Ｒ ＯＳＤ、Ｇ ＯＳＤ、Ｂ ＯＳＤが夫々“ロー”、“ハイ”、“ハイ”の時ビデオ信号及びＯＳＤ背景画面ラスタが中間トーンで表示され、このときＯＳＤ背景画面ラスタはシアンとなる。
【００６５】
またHS1=“ハイ”、HS2=“ロー”、HS3=“ロー”であれば、ＯＳＤ信号Ｒ ＯＳＤ、Ｇ ＯＳＤ、Ｂ ＯＳＤが夫々“ハイ”、“ロー”、“ロー”の時ビデオ信号及びＯＳＤ背景画面ラスタが中間トーンで表示され、このときＯＳＤ背景画面ラスタは赤色となる。HS1=“ハイ”、HS2=“ロー”、HS3=“ハイ”であれば、ＯＳＤ信号Ｒ ＯＳＤ、Ｇ ＯＳＤ、Ｂ ＯＳＤが夫々“ハイ”、“ロー”、“ハイ”の時ビデオ信号及びＯＳＤ背景画面ラスタが中間トーンで表示され、このときＯＳＤ背景画面ラスタはマゼンタ（Magenta)となる。HS1=“ハイ”、HS2=“ハイ”、HS3=“ロー”であれば、ＯＳＤ信号Ｒ ＯＳＤ、Ｇ ＯＳＤ、Ｂ ＯＳＤが夫々“ハイ”、“ハイ”、“ロー”の時ビデオ信号及びＯＳＤ背景画面ラスタが中間トーンで表示され、このときＯＳＤ背景画面ラスタは黄色となる。HS1=“ハイ”、HS2=“ハイ”、HS3=“ハイ”であれば、ＯＳＤ信号Ｒ ＯＳＤ、Ｇ ＯＳＤ、Ｂ ＯＳＤが夫々“ハイ”、“ハイ”、“ハイ”の時ビデオ信号及びＯＳＤ背景画面ラスタが中間トーンで表示され、このときＯＳＤ背景画面ラスタは白色となる。
【００６６】
一方、第２のウィンドウ内においてＯＳＤ制御信号HS4 ないしHS6 によるビデオ信号及びＯＳＤラスタが中間トーンで表示される区間と、このときのＯＳＤ背景画面ラスタの色相は第１のウィンドウと類似であり、これについての詳細な説明は省略する。
【００６７】
図14において、混合増幅回路３、４、５は各チャンネルのビデオ信号及びＯＳＤ信号を受け入れ、前記ビデオ／ＯＳＤ選択信号Ｖ／Ｏ ＳＥＬに基づいて前記ビデオ信号及びＯＳＤ信号を混合かつ増幅し、出力する。
【００６８】
図16は、図14の映像信号混合増幅回路３、４、５のいずれか一つをさらに詳細に示すものである。図16の回路の動作は図３の回路の動作と同様であるから、これについての詳細な説明は省略する。
【００６９】
図30は、本発明に係るオンスクリーンディスプレイ装置により複数のＯＳＤウィンドウ内においてビデオ信号及びＯＳＤ背景画面ラスタが中間トーンで表示された画面の一例を示すものである。図30に示す画面においては、二枚のＯＳＤウィンドウ、すなわち第１及び第２のウィンドウA1、A2が画面上に形成される。第１のウィンドウA1内においては、例えば、中間トーンの白色のＯＳＤ背景画面ラスタが中間トーンのビデオ信号と共に表示される。そして、赤色のＯＳＤ文字がウィンドウ内に表示される。第２のウィンドウA2内においては、例えば、青色の中間トーンＯＳＤ背景画面ラスタが中間トーンのビデオ信号と共に表示される。そして、黄色のＯＳＤ文字がウィンドウ内に表示される。
【００７０】
図17は、図14の選択信号発生回路201 の一実施例を示すものである。この選択信号発生回路201 は、論理積ゲート210 、反転器212 、第１及び第２のＯＳＤ背景画面判断部214 、230 、論理和ゲート242 、減衰器244 及び加算器246 を含む。
論理積ゲート210 は、中間トーン信号HTとビデオ／ＯＳＤスイッチング信号Ｖ／Ｏ ＳＷＩＴＣＨとを受け入れ、論理積演算を行う。従って、中間トーン信号HTとビデオ／ＯＳＤスイッチング信号Ｖ／Ｏ ＳＷＩＴＣＨがいずれも“ハイ”レベルの時に限って論理積ゲート210 は“ハイ”レベルを出力する。
論理積ゲート210 の出力は、第１及び第２のＯＳＤ背景画面判断部214 、230 においてゲート信号として作用する。すなわち、論理積ゲート210 が“ハイ”レベルを出力する場合に限って、第１のＯＳＤ背景画面判断部214 内にある論理積ゲート226a〜226hはＯＳＤ信号Ｒ ＯＳＤ、Ｇ ＯＳＤ、Ｂ ＯＳＤ及びＯＳＤ制御信号HS1 ないしHS3 に対する演算結果を論理和ゲート228 へ伝え、第２のＯＳＤ背景画面判断部230 内にある論理積ゲート238a〜238hはＯＳＤ信号Ｒ ＯＳＤ、Ｇ ＯＳＤ、Ｂ ＯＳＤ及びＯＳＤ制御信号HS4 ないしHS6 に対する演算結果を論理和ゲート240 へ伝える。もし、論理積ゲート210 が“ロー”レベルを出力する場合、論理積ゲート226a〜226h、238a〜238hは“ロー”レベルを出力し、これにより第１及び第２のＯＳＤ背景画面判断部214 、230 は“ロー”レベルを出力する。
【００７１】
第１のＯＳＤ背景画面判断部214 において、反転器215 、216 、217 はＯＳＤ信号Ｒ ＯＳＤ、Ｇ ＯＳＤ、Ｂ ＯＳＤを受けて反転を行い、反転されたＯＳＤ信号を出力する。また、反転器220 、221 、222 はＯＳＤ制御信号 HS1〜HS3 を受けて反転を行い、反転されたＯＳＤ制御信号を出力する。論理積ゲート218a〜218h夫々は、ＲチャンネルＯＳＤ信号または反転されたＲチャンネルＯＳＤ信号と、ＧチャンネルＯＳＤ信号または反転されたＧチャンネルＯＳＤ信号と、ＢチャンネルＯＳＤ信号または反転されたＢチャンネルＯＳＤ信号を受け入れ、論理積演算を行う。論理積ゲート224a〜224hの夫々は、ＯＳＤ制御信号HS1 または反転されたＯＳＤ制御信号／HS1 と、ＯＳＤ制御信号HS2 または反転されたＯＳＤ制御信号／HS2 と、ＯＳＤ制御信号HS3 または反転されたＯＳＤ制御信号／HS3 を受け入れ、論理積演算を行う。論理積ゲート226a〜226hの夫々は、論理積ゲート218a〜218hの対応するいずれか一つの出力と論理積ゲート224a〜224hの対応するいずれか一つの出力と論理積ゲート210 からの出力とを受け入れ、論理積演算を行う。論理和ゲート228 は、論理積ゲート224a〜224hの出力を受け入れ、論理和演算を行う。
【００７２】
第２のＯＳＤ背景画面判断部230 において、反転器233 、234 、235 の夫々はＯＳＤ制御信号 HS4〜HS6 を受けて反転を行い、反転されたＯＳＤ制御信号を出力する。論理積ゲート232a〜232hの夫々は、ＲチャンネルＯＳＤ信号または反転されたＲチャンネルＯＳＤ信号と、ＧチャンネルＯＳＤ信号または反転されたＧチャンネルＯＳＤ信号と、ＢチャンネルＯＳＤ信号または反転されたＢチャンネルＯＳＤ信号を受け入れ、論理積演算を行う。論理積ゲート236a〜236hの夫々は、ＯＳＤ制御信号HS4 または反転されたＯＳＤ制御信号／HS4 と、ＯＳＤ制御信号HS5 または反転されたＯＳＤ制御信号／HS5 と、ＯＳＤ制御信号HS6 または反転されたＯＳＤ制御信号／HS6 を受け入れ、論理積演算を行う。論理積ゲート238a〜238hの夫々は、論理積ゲート232a〜232hの対応するいずれか一つの出力と論理積ゲート236a〜236hの対応するいずれか一つの出力と論理積ゲート210 からの出力とを受け入れ、論理積演算を行う。論理和ゲート240 は、論理積ゲート238a〜238hからの出力を受け入れ、論理和演算を行う。
【００７３】
論理和ゲート242 は、第１及び第２のＯＳＤ背景画面判断部214 、230 からの出力に対し論理和演算を行う。減衰器244 は、論理和ゲート242 からの出力を１／２だけ減衰させ、減衰された信号を出力する。加算器246 は、減衰器244 及び反転器212 からの出力信号を加算し、加算された結果をビデオ／ＯＳＤ選択信号Ｖ／Ｏ ＳＥＬとして出力する。
【００７４】
図18（Ａ）ないし図18（Ｊ）は、図17に示した回路において入力信号による出力信号を示すものである。以下、図18（Ａ）ないし図18（Ｊ）に基づき図17の選択信号発生回路201 の動作について説明する。
ビデオ／ＯＳＤスイッチング信号Ｖ／Ｏ ＳＷＩＴＣＨが“ロー”レベルにある場合（区間250 、254 ）、論理積ゲート210 は“ロー”レベルを出力し、これにより第１及び第２のＯＳＤ背景画面判断部214 、230 は“ロー”レベルを出力する。その結果、論理和ゲート242 及び反転器244 も“ロー”レベルを出力する。しかし、反転器212 が“ハイ”レベルを出力する。これにより、加算器246 は“ハイ”レベルを有するビデオ／ＯＳＤ選択信号Ｖ／Ｏ ＳＥＬを出力する。“ハイ”レベルのビデオ／ＯＳＤ選択信号Ｖ／Ｏ ＳＥＬに応答して、混合増幅回路３、４、５は夫々Ｒ／Ｇ／Ｂビデオ信号のみ出力する。
【００７５】
次に、ビデオ／ＯＳＤスイッチング信号Ｖ／Ｏ ＳＷＩＴＣＨが“ハイ”レベルを有してＯＳＤ動作モードを表し、中間トーン信号HTが“ロー”レベルを有すると仮定する（区間252 ）。この場合にも、論理積ゲート210 は“ロー”レベルを出力し、その結果、減衰器244 も“ロー”レベルを出力する。また反転器212 も“ロー”レベルを出力する。これにより、加算器246 は“ロー”レベルを有するビデオ／ＯＳＤ選択信号Ｖ／Ｏ ＳＥＬを出力する。“ロー”レベルのビデオ／ＯＳＤ選択信号Ｖ／Ｏ ＳＥＬに応答して、混合増幅回路３、４、５は夫々Ｒ／Ｇ／Ｂビデオ信号を遮断し、ＯＳＤ信号のみ出力する。したがって、ＯＳＤ文字情報と背景画面とを含むＯＳＤ情報が表示される。
【００７６】
次に、ビデオ／ＯＳＤスイッチング信号Ｖ／Ｏ ＳＷＩＴＣＨが“ハイ”レベルを有してＯＳＤ動作モードを表し、中間トーン信号HTが“ハイ”レベルを有すると仮定する（区間256 ）。このときには、ＯＳＤ背景画面に該当する画面部分においてはビデオ信号及びオーディオラスタがいずれも中間トーンで表示される。次に、これについて具体的に説明する。
【００７７】
HS1=“ロー”、HS2=“ロー”、HS3=“ロー”の場合、論理積ゲート224a〜224hの論理積ゲート224hのみ“ハイ”を出力し、論理積ゲート224a〜224gは“ロー”を出力する。これにより、論理積ゲート226a〜226gは“ロー”を出力する。そして、ＯＳＤ信号Ｒ ＯＳＤ、Ｇ ＯＳＤ、Ｂ ＯＳＤが夫々“ロー”、“ロー”、“ロー”の時に限って論理積ゲート218hは“ハイ”を出力し、論理積ゲート226hは“ハイ”を出力する。したがって、第１のＯＳＤ背景画面判断部214 は“ハイ”を出力する。このとき、減衰器244 は論理和ゲートから出力される信号を減衰させ中間レベルを出力し、加算器246 は減衰器244 からの出力を受け入れ、中間レベルのビデオ／ＯＳＤ選択信号Ｖ／Ｏ ＳＥＬを出力する。中間レベルのビデオ／ＯＳＤ選択信号Ｖ／Ｏ ＳＥＬに応答して、混合増幅回路３、４、５はＲ／Ｇ／Ｂビデオ信号を半分に減衰させて出力し、ＯＳＤ信号も半分に減衰させて出力する。これにより、中間トーンの黒色ＯＳＤ背景画面ラスタが中間トーンのビデオ情報と共に表示される。
【００７８】
HS1=“ロー”、HS2=“ロー”、HS3=“ハイ”の場合、論理積ゲート224a〜224hの論理積ゲート224gのみが“ハイ”を出力し、論理積ゲート224a〜224f、224hは“ロー”を出力する。これにより、論理積ゲート226a〜226f、226hは“ロー”を出力する。そしてＯＳＤ信号Ｒ ＯＳＤ、Ｇ ＯＳＤ、Ｂ ＯＳＤが夫々“ロー”、“ロー”、“ハイ”の時に限って論理積ゲート218gは“ハイ”を出力し、論理積ゲート226gは“ハイ”を出力する。このとき、第１のＯＳＤ背景画面判断部214 は“ハイ”を出力する。このとき、減衰器244 は論理和ゲートから出力される信号を減衰させ中間レベルを出力し、加算器246 は減衰器244 からの出力を受け入れ、中間レベルのビデオ／ＯＳＤ選択信号Ｖ／Ｏ ＳＥＬを出力する。中間レベルのビデオ／ＯＳＤ選択信号Ｖ／Ｏ ＳＥＬに応答して、混合増幅回路３、４、５はＲ／Ｇ／Ｂビデオ信号を半分に減衰させて出力し、ＯＳＤ信号も半分に減衰させて出力する。これにより、中間トーンの青色ＯＳＤ背景画面ラスタが中間トーンのビデオ情報と共に表示される。
【００７９】
ＯＳＤ制御信号 HS1〜HS3 が他の組合を有する場合にも、図17の回路は同じく動作する。一方、第２のＯＳＤ背景画面判断部230 は第１のＯＳＤ背景画面判断部214 と類似に動作する。したがって、第２のＯＳＤ背景画面判断部230 の動作についての具体的な説明は省略する。
【００８０】
図18（Ｇ）は、ＯＳＤ制御信号 HS1〜HS6 が夫々“ハイ”、“ハイ”、“ハイ”、“ロー”、“ロー”、“ハイ”レベルを有するとした場合のビデオ／ＯＳＤ選択信号Ｖ／Ｏ ＳＥＬを示すものである。ビデオ／ＯＳＤスイッチング信号Ｖ／Ｏ ＳＷＩＴＣＨが“ハイ”レベルを有してＯＳＤ動作モードを表し、中間トーン信号HTが“ハイ”レベルを有するならば、論理積ゲート210 は“ハイ”レベルを出力し、その結果、減衰器244 は“中間”レベルを出力する。また反転器212 は“ロー”レベルを出力する。ＯＳＤ信号Ｒ ＯＳＤ、Ｇ ＯＳＤ、Ｂ ＯＳＤが夫々“ハイ”、“ハイ”、“ハイ”の時に限って第１のＯＳＤ背景画面判断部214 は“ハイ”を出力する（区間260 ）。また、ＯＳＤ信号Ｒ ＯＳＤ、Ｇ ＯＳＤ、Ｂ ＯＳＤが夫々“ロー”、“ロー”、“ハイ”の時に限って第２のＯＳＤ背景画面判断部230 は“ハイ”を出力する（区間262 ）。
【００８１】
したがって、区間260 、262 においてビデオ／ＯＳＤ選択信号Ｖ／Ｏ ＳＥＬは中間レベルとなる。これにより、ＯＳＤ信号Ｒ ＯＳＤ、Ｇ ＯＳＤ、Ｂ ＯＳＤが夫々“ハイ”、“ハイ”、“ハイ”の時、すなわち、白色の第１のＯＳＤ背景画面信号が入力される時に混合増幅回路３、４、５はＲ／Ｇ／Ｂビデオ信号を半分に減衰させて出力し、ＯＳＤ信号も半分に減衰させて出力する。またＯＳＤ信号Ｒ ＯＳＤ、Ｇ ＯＳＤ、Ｂ ＯＳＤが夫々“ロー”、“ロー”、“ハイ”の時、すなわち、青色の第２のＯＳＤ背景画面信号が入力される時に混合増幅回路３、４、５はＲ／Ｇ／Ｂビデオ信号を半分に減衰させて出力し、ＯＳＤ信号も半分に減衰させて出力する。
【００８２】
上述のように、本実施例によれば、２枚のＯＳＤウィンドウが形成でき、しかも各ＯＳＤウィンドウにおける各種の色相のＯＳＤラスタのいずれか一つを任意に選択してＯＳＤ背景画面を表示することができるに加え（区間252 ）、ＯＳＤ背景画面領域においてビデオ信号及びＯＳＤ背景画面信号を中間トーンで表示することができる（区間256 ）。一方、本発明に係るオンスクリーンディスプレイ装置を採用するモニタまたは液晶表示装置において、第１及び第２のＯＳＤウィンドウの背景画面とＯＳＤ文字などの色相はモニタまたは液晶表示装置の製造業者のプログラミングによって決せられる。
【００８３】
図19は、図17の選択信号発生回路201 の変形された実施例を示すものである。図19の実施例においては、論理積ゲート210 により出力されるゲート信号が論理積ゲート227a〜227hに入力されず、別の論理積ゲート243 が用意されている。したがって、論理積ゲート227a〜227hは２入力ゲートから構成される。そして、論理積ゲート243 は論理和ゲート242 の出力と前記ゲート信号とを論理和演算し、減衰器244 は論理積ゲート243 からの出力を受け入れ、受入れられた信号を半分に減衰させる。図19における回路の動作は、図17の回路の動作と類似であるから、これについての詳細な説明は省略する。
【００８４】
図20は、図14における選択信号発生回路201 の他の実施例を示すものである。図20を参照すれば、選択信号発生回路201 は、ビデオ／ＯＳＤスイッチング部300 と、インタフェースバッファ310 と、ＯＳＤラスタ選択部320 と、ＯＳＤ中間トーン信号発生部330 とを含む。図20には図16の混合増幅回路３、４、５が共に示してある。
【００８５】
前記ビデオ／ＯＳＤスイッチング部300 は、ビデオ／ＯＳＤスイッチング信号Ｖ／Ｏ ＳＷＩＴＣＨを受け入れ、第１及び第２のスイッチング信号SW1 、SW2 を発生して出力する。また、ビデオ／ＯＳＤスイッチング部300 は、ビデオ／ＯＳＤ選択信号Ｖ／Ｏ ＳＥＬのレベルを判断するための基準電圧REFVを発生し、混合増幅回路３、４、５へ出力する。
前記インタフェースバッファ310 は、チップ間バス（Inter-IC bus）を介してＯＳＤ制御信号 HS1〜HS6 及び中間トーン信号HTを受けてバッファリングを行い、バッファリングされた信号HS1'〜HS6'、HT' を出力する。
前記ＯＳＤラスタ選択部320 は、入力されるＲＧＢ  ＯＳＤ信号のスイング幅を調整した後に、ＯＳＤ動作モード時ＯＳＤ制御信号HS1'〜HS6'に基づいて夫々別のＯＳＤ信号入力タイミングにラスタ選択信号RAS1、RAS2を出力し、第１及び第２のＯＳＤウィンドウ夫々に対し複数のＯＳＤラスタのいずれかが選択されるようにする。
前記ＯＳＤ中間トーン信号発生部330 は、中間トーン信号HTが中間トーンビデオ出力を指示する場合、前記第１及び第２のスイッチング信号SW1 、SW2 及びＯＳＤ制御信号HS1'〜HS6'に基づいてビデオ／ＯＳＤ選択信号Ｖ／Ｏ ＳＥＬを発生し、かつ出力する。
【００８６】
本実施例への理解を助けるために、図20及び図21ないし図26に表記された各信号について簡単に要約すれば、以下の通りである。
−ビデオ／ＯＳＤスイッチング信号Ｖ／Ｏ ＳＷＩＴＣＨ：TTL レベル、すなわち０〜５Ｖ間でスイッチングされる。
−第１のスイッチング信号SW1 ：ビデオ／ＯＳＤスイッチング信号Ｖ／Ｏ ＳＷＩＴＣＨとは逆相を有し、５．１〜６Ｖの範囲でスイングする信号。
−基準電圧REFV1 ：第１のスイッチング信号SW1 のスイング幅の中心レベルを有する信号。
−第２のスイッチング信号SW2 ：ビデオ／ＯＳＤスイッチング信号Ｖ／Ｏ ＳＷＩＴＣＨとは逆相を有し、４．３５〜５．２５Ｖの範囲でスイングする信号。
−基準電圧REFV：第２のスイッチング信号SW2 のスイング幅の中心レベルを有する信号。
−ＯＳＤ制御信号HS1 ：第１のＯＳＤウィンドウの背景画面ラスタを選択するためにＲ ＯＳＤ信号を制御する信号であり、０．１〜２．１Ｖ間でスイッチングされる。
−ＯＳＤ制御信号HS2 ：第１のＯＳＤウィンドウの背景画面ラスタを選択するためにＧ ＯＳＤ信号を制御する信号であり、０．１〜２．１Ｖ間でスイッチングされる。
−ＯＳＤ制御信号HS3 ：第１のＯＳＤウィンドウの背景画面ラスタを選択するためにＢ ＯＳＤ信号を制御する信号であり、０．１〜２．１Ｖ間でスイッチングされる。
−ＯＳＤ制御信号HS4 ：第２のＯＳＤウィンドウの背景画面ラスタを選択するためにＲ ＯＳＤ信号を制御する信号であり、０．１〜２．１Ｖ間でスイッチングされる。
−ＯＳＤ制御信号HS5 ：第２のＯＳＤウィンドウの背景画面ラスタを選択するためにＧ ＯＳＤ信号を制御する信号であり、０．１〜２．１Ｖ間でスイッチングされる。
−ＯＳＤHS6 ：第２のＯＳＤウィンドウの背景画面ラスタを選択するためにＢ ＯＳＤ信号を制御する信号であり、０．１〜２．１Ｖ間でスイッチングされる。
−第１のラスタ選択信号RAS1：ＯＳＤ制御信号HS1'〜HS3'に基づき特定のＯＳＤ信号組合に対してのみ活性化することにより、第１のＯＳＤウィンドウの背景画面ラスタが選択されるようにする信号。
−第２のラスタ選択信号RAS2：ＯＳＤ制御信号HS4'〜HS6'に基づき特定のＯＳＤ信号組合に対してのみ活性化することにより、第２のＯＳＤウィンドウの背景画面ラスタが選択されるようにする信号。
−中間トーン信号HT：０．１〜３．１Ｖ間でスイッチングし、中間トーンモード時“ハイ”のレベルを有する。
−モード制御信号ＨＴ ＲＳ：ＯＳＤ動作区間では０．９０２Ｖを有してＯＳＤラスタ選択部をイネーブルさせ、ＯＳＤ動作区簡でない動作区間では０Ｖを有してＯＳＤラスタ選択部をディスエーブルさせる信号。
−反転された中間トーン信号ＨＴ Ｉ：中間トーン信号HTとは逆相を有し、０〜１．２６Ｖ間でスイッチングされる。
−第１のバイアス電圧BS1 ：インタフェースバッファ110 をバイアスするための電圧であり、１．１９７Ｖの値を有する。
−第２のバイアス電圧BS2 ：ＯＳＤ制御信号HS1 −HS6 のレベルを判断するための目安となる信号であり、１．６２４Ｖの値を有する。
−第３のバイアス電圧BS3 ：中間トーン信号HT' のレベルを判定することにより、反転された中間トーン信号ＨＴ Ｉを発生するための基準信号であり、１．６５Ｖの値を有する。
【００８７】
図21は、図20におけるビデオ／ＯＳＤスイッチング部300 を詳細に示すものであり、図22（Ａ）ないし図22（Ｃ）は図21の回路において入力信号による出力信号を示すグラフである。図21における回路の構成及び動作は、図９の構成及び動作と類似であるから、これについての詳細な説明は省略する。
【００８８】
図23は、図20のインタフェースバッファ310 を詳細に示すものである。
中間トーン信号HTは、トランジスタQ101のベースに入力される。中間トーン信号HTよりも１Ｖbe,101だけ低いレベルを有するトランジスタQ101のエミッタ電圧はトランジスタQ102のベースへ印加される。トランジスタQ102のベース電圧よりも１Ｖbe,102だけ高いレベルを有するトランジスタQ102のエミッタ電圧は、バッファリングされた中間トーン信号HT' として出力される。トランジスタQ101のベース−エミッタ間電圧Ｖbe,101の大きさはトランジスタQ102のベース−エミッタ間電圧Ｖbe,102に等しいので、前記バッファリングされた中間トーン信号HT' は入力された中間トーン信号HTに等しいレベルを有する。しかし、バッファリングされた中間トーン信号HT' は、入力された中間トーン信号HTよりも進んだ電流駆動能を有する。
ＯＳＤ制御信号HS1 は、トランジスタQ103のベースに入力される。そして前記バッファリングされた中間トーン信号HT' の方式と同様にして、ＯＳＤ制御信号HS1 とレベルが同一で、電流駆動能力の進んだバッファリングされたＯＳＤ制御信号HS1'がトランジスタQ104のエミッタを介して出力される。同じく、ＯＳＤ制御信号 HS2〜HS6 は、トランジスタQ105、Q107、Q109、Q111、Q113のベースに入力される。そして、ＯＳＤ制御信号 HS2〜HS6 と夫々レベルが同一で、電流駆動能力の進んだバッファリングされたＯＳＤ制御信号HS2'〜HS6'がトランジスタQ106、Q108、Q110、Q112、Q114のエミッタを介して出力される。
【００８９】
以下の説明において、‘バッファリングされた中間トーン信号HT''は略して‘中間トーン信号HT''とし、そして‘バッファリングされたＯＳＤ制御信号HS1'〜HS6'' は略して‘OSD 制御信号HS1'〜HS6'' と称する。
トランジスタQ115、Q116は比較器を構成する。トランジスタQ115のベースには中間トーン信号HT' が印加される。トランジスタQ116のベースにはＯＳＤ中間トーン信号発生部330 から出力される第３のバイアス電圧BS3 が印加される。中間トーン信号HT' が第３のバイアス電圧BS3 よりも大の場合、トランジスタQ115のコレクタ電圧は“ロー”レベルを有する。一方、中間トーン信号HT' が第３のバイアス電圧BS3 よりも小さい場合、トランジスタQ115のコレクタ電圧は“ハイ”レベルを有する。前記トランジスタQ115のコレクタ電圧は反転された中間トーン信号ＨＴ Ｉであり、ＯＳＤラスタ選択部320 へ出力される。本実施例において、反転された中間トーン信号ＨＴ Ｉは０Ｖと１．２６Ｖとの間でスイッチングされる。
【００９０】
図24及び図25は、図20のＯＳＤラスタ選択部320 を詳細に示すものである。
図24及び図25を参照すれば、ＯＳＤラスタ選択部320 はレベル調整回路322 、第１の比較回路324 、バイアス回路326 及び第２の比較回路328 を含む。前記レベル調整回路322 は、Ｒ／Ｇ／ＢチャンネルＯＳＤ信号Ｒ ＯＳＤ、Ｇ ＯＳＤ、Ｂ ＯＳＤのスイング幅を調整して第１及び第２の比較回路324 、328 へ供給する。第１の比較回路324 はＯＳＤ制御信号HS1'〜HS3'に基づきＯＳＤ信号の特定の論理組合が入力される時に限って活性化する第１のＯＳＤウィンドウに対する第１のラスタ選択信号RAS1を出力する。第２の比較回路328 は、ＯＳＤ制御信号HS4'〜HS6'に基づきＯＳＤ信号の特定の論理組合が入力される時に限って活性化する第２のＯＳＤウィンドウに対する第２のラスタ選択信号RAS2を出力する。
【００９１】
レベル調整回路322 において、抵抗R31 、R32 と二つのダイオード結線されたトランジスタは第７の基準電流Ｉref,7 を形成し、電源電圧ＶCCを分配して電圧ＶC がトランジスタQ123のベースへ供給されるようにする。トランジスタQ122、Q123は、ＲチャンネルＯＳＤ信号Ｒ ＯＳＤのスイング幅を調整するために、ＲチャンネルＯＳＤ信号Ｒ ＯＳＤと前記電圧ＶC とを比較する。その比較結果によってトランジスタQ121のコレクタ電圧は可変し、この電圧はスイング幅の調整されたＲチャンネルＯＳＤ信号Ｒ ＯＳＤ’として比較回路324 へ供給される。調整されたＲチャンネルＯＳＤ信号Ｒ ＯＳＤ’の“ロー”レベル及び“ハイ”レベルは次の数式10により決定され、本実施例では、例えば、夫々１．６Ｖ及び３．６Ｖの値を有する。
【数１０】
0003735750.tif 000011
【００９２】
抵抗R33 、R34 と二つのダイオード結線されたトランジスタは、第８の基準電流Ｉref,8 を形成し、電源電圧ＶCCを分配して電圧ＶD がトランジスタQ127のベースに供給されるようにする。トランジスタQ126、Q127は、ＧチャンネルＯＳＤ信号Ｇ ＯＳＤのスイング幅を調整するために、ＧチャンネルＯＳＤ信号Ｇ ＯＳＤと前記電圧ＶD とを比較する。比較結果によってトランジスタQ125のコレクタ電圧は可変し、この電圧はスイング幅の調整されたＧチャンネルＯＳＤ信号Ｇ ＯＳＤ’として比較回路324 へ供給される。調整されたＧチャンネルＯＳＤ信号Ｇ ＯＳＤ’は１．６Ｖないし３．６Ｖの範囲においてスイングする。
【００９３】
同じく、抵抗R35 、R36 と二つのダイオード結線されたトランジスタは第９の基準電流Ｉref,9 を形成し、電源電圧ＶCCを分配して電圧ＶE がトランジスタQ131のベースへ供給されるようにする。トランジスタQ130、Q131は、ＢチャンネルＯＳＤ信号Ｂ ＯＳＤのスイング幅を調整するために、ＢチャンネルＯＳＤ信号Ｂ ＯＳＤと前記電圧ＶE とを比較する。その比較結果によってトランジスタQ129のコレクタ電圧は可変し、この電圧はスイング幅の調整されたＢチャンネルＯＳＤ信号Ｂ ＯＳＤ’として比較回路324 へ供給される。調整されたＢチャンネルＯＳＤ信号Ｂ ＯＳＤ’は、１．６Ｖないし３．６Ｖの範囲においてスイングする。
【００９４】
一方、トランジスタQ124のエミッタ電圧は電圧ＶC よりも１Ｖbeだけ高く、ＲチャンネルＯＳＤ基準信号Ｒ ＯＳＤ ｒｅｆとして第１及び第２の比較回路124 、128 へ出力される。トランジスタQ128のエミッタ電圧は、電圧ＶD よりも１Ｖbeだけ高く、ＧチャンネルＯＳＤ基準電圧Ｇ ＯＳＤ ｒｅｆとして第１及び第２の比較回路324 、328 へ出力される。トランジスタQ132のエミッタ電圧は電圧ＶE よりも１Ｖbeだけ高く、ＢチャンネルＯＳＤ基準信号Ｂ ＯＳＤ ｒｅｆとして第１及び第２の比較回路324 、328 へ出力される。
【００９５】
第１の比較回路324 は、ＯＳＤ中間トーン信号発生回路330 により出力されるモード制御信号ＨＴ ＲＳに基づいて動作が制御される。すなわち、モード制御信号ＨＴ ＲＳが“ハイ”レベルの時は、トランジスタQ133、Q134、Q135が電流を供給することになり、比較回路324 が動作をする。しかし、モード制御信号ＨＴ ＲＳが“ロー”レベルの時は、トランジスタQ133、Q134、Q135が遮断され、比較回路324 が動作をしなくなる。
【００９６】
バイアス回路326 は、第１及び第２の比較回路324 、328 に対するバイアス電圧を提供する。抵抗R37 、抵抗R38 、ダイオード結線されたトランジスタQ155及び抵抗R39 は、第10の基準電流Ｉref,10を形成する。一方、反転された中間トーン信号ＨＴ Ｉが“ハイ”レベルの場合、トランジスタQ154はバイパス電流経路を形成し、これにより第10の基準電流Ｉref,10は反転された中間トーン信号ＨＴ Ｉが“ロー”レベルの時に比べ大の値を有する。
ノード400 での電圧である第１のラスタ選択信号RAS1は、次の数式11で表される。
【数１１】
0003735750.tif 000012
もし、中間トーン信号HTが“ロー”レベルにあり、中間トーンモード動作を指示しない場合、反転された中間トーン信号ＨＴ Ｉは“ハイ”レベルとなる。従って、第10の基準電流Ｉref,10は大の値を有し、抵抗R40 を流れる電流IR40は０となる。このとき、第１のラスタ選択信号RAS1は本実施例において２．５Ｖの低い値を有する。
【００９７】
一方、中間トーン信号HTが“ハイ”レベルにあり、中間トーンモード動作を指示する場合、ＯＳＤ制御信号 HS1〜HS3 及びＯＳＤ信号Ｒ ＯＳＤ、Ｇ ＯＳＤ、Ｂ ＯＳＤに基づいて第１のラスタ選択信号RAS1は４．８８Ｖまたは３．５Ｖの大きさを有する。これについて具体的に説明する。
第１の比較回路324 において、トランジスタQ136、Q137、トランジスタQ138、Q139及びトランジスタQ140、Q141から構成された比較器は夫々ＯＳＤ制御信号HS1 、HS2 、HS3 を第２のバイアス電圧BS2 と比較し、その比較結果によって上段のトランジスタ対Q142及びQ143、Q144及びQ145、Q146及びQ147、Q148及びQ149、Q150及びQ151、Q152及びQ153から構成された比較器の動作を制御する。トランジスタ対Q142及びQ143、Q144及びQ145、Q146及びQ147、Q148及びQ149、Q150及びQ151、Q152及びQ153からなる六つの比較器は、前記調整されたＯＳＤ信号Ｒ ＯＳＤ’、Ｇ ＯＳＤ’、Ｂ ＯＳＤ’を前記ＲＧＢチャンネルのＯＳＤ基準電圧Ｒ ＯＳＤ ｒｅｆ、Ｇ ＯＳＤ ｒｅｆ、Ｂ ＯＳＤ ｒｅｆと比較する。その比較結果によってノード400 から第１の比較回路324 に流れる電流IR40はその大きさが可変する。
【００９８】
HS1'＝“ロー”、HS2'＝“ロー”、HS3'＝“ロー”レベルを有すると仮定する。この場合、トランジスタQ136、Q138、Q140は非活性化し、トランジスタQ137、Q139、Q141は活性化する。したがって、トランジスタ対Q144及びQ145、Q148及びQ149、Q152及びQ153が動作をする。もし、信号Ｒ ＯＳＤ’、Ｇ ＯＳＤ’、Ｂ ＯＳＤ’のうち一つさえ“ハイ”となるならば、トランジスタQ144、Q148、Q152のうちベースに“ハイ”レベルが印加されるトランジスタが活性化し、ノード400 から第１の比較回路324 に流れる電流IR40は増大する。このとき、数式11で表現される第１のラスタ選択信号RAS1は、３．５Ｖの“ロー”レベルとなる。一方、もし信号Ｒ ＯＳＤ’、Ｇ ＯＳＤ’、Ｂ ＯＳＤ’がいずれも“ロー”レベルであれば、ノード400 から第１の比較回路324 へ流れる電流IR40は０となり、第１のラスタ選択信号RAS1は４．８８Ｖの“ハイ”レベルとなる。これにより、白色のＯＳＤ背景画面部分でのみ第１のラスタ選択信号RAS1が“ハイ”レベルに活性化し、白色のＯＳＤ背景画面ラスタ及びビデオ信号が中間トーンで表示されたＯＳＤ背景画面上にＯＳＤ情報が表示される。
【００９９】
HS1'＝“ハイ”、HS2'＝“ロー”、HS3'＝“ロー”レベルを有すると仮定する。この場合、トランジスタQ137、Q138、Q140は非活性化し、トランジスタQ136、Q139、Q141は活性化する。したがって、トランジスタ対Q142及びQ143、Q148及びQ149、Q152及びQ153が動作をする。もし、信号Ｒ ＯＳＤ’が“ロー”か、信号Ｇ ＯＳＤ’が“ハイ”か、あるいは信号Ｂ ＯＳＤ’が“ハイ”であれば、トランジスタQ142、Q148またはQ152が活性化してノード400 から第１の比較回路324 へ流れる電流IR40は増大する。このとき、第１のラスタ選択信号RAS1は３．５Ｖの“ロー”レベルとなる。一方、もし信号Ｒ ＯＳＤ’が“ハイ”レベルであり、信号Ｇ ＯＳＤ’、Ｂ ＯＳＤ’が“ロー”レベルであれば、電流IR40は０となり、第１のラスタ選択信号RAS1は４．８８Ｖの“ハイ”レベルとなる。これにより、赤色のＯＳＤ背景画面部分でのみ第１のラスタ選択信号RAS1が“ハイ”レベルに活性化し、後述するように、赤色のＯＳＤ背景画面ラスタ及びビデオ信号が中間トーンで表示可能になる。
【０１００】
ＯＳＤ制御信号HS1'〜HS3'が別の組合を有する場合にも、第１の比較回路324 はこれと同様に動作する。要すれば、第１のラスタ選択信号RAS1は非中間トーンモード動作時には２．５Ｖの低い値を有する。そして、中間トーンモード動作時には、第１のラスタ選択信号RAS1はＯＳＤ制御信号HS1'〜HS3'により決定される特定のＯＳＤ信号の組合が入力される区間でのみ４．８８Ｖの“ハイ”レベルを有し、ＯＳＤ信号の組合が前記特定の組合とは違いに入力される区間においては３．５Ｖの“ロー”レベルを有する。
【０１０１】
第２の比較回路328 は、第１の比較回路324 と同様に動作する。すなわち、ＯＳＤ制御信号HS4'〜HS6'と信号ＯＳＤ Ｒ’、ＯＳＤ Ｇ’、ＯＳＤ Ｂ’に基づき抵抗R41 を介して流れる電流IR41が可変し、これによりノード401 における電圧、すなわち、第２のラスタ選択信号RAS2のレベルが変わる。第２のラスタ選択信号RAS2は、非中間トーンモード動作時には２．５Ｖの低い値を有する。そして、中間トーンモード動作時には、第２のラスタ選択信号RAS2はＯＳＤ制御信号HS4'〜HS6'により決せられる特定のＯＳＤ信号の組合が入力される区間でのみ４．８８Ｖの“ハイ”レベルを有し、ＯＳＤ信号の組合が前記特定の組合とは違いに入力される区間では３．５Ｖの“ロー”レベルを有する。
【０１０２】
図26は、図20のＯＳＤ中間トーン信号発生部330 を詳細に示すものである。図26におけるＯＳＤ中間トーン信号発生部330 は、モード制御信号発生回路332 、出力信号発生回路334 及び基準信号発生回路336 を含む。
前記モード制御信号発生回路332 は、中間トーン信号HT' 及び第２のスイッチング信号SW2 を受け入れ、モード制御信号ＨＴ ＲＳを発生して図24及び25のＯＳＤラスタ選択部320 へ出力する。前記出力信号発生回路334 は第１及び第２のラスタ選択信号RAS1、RAS2と、第１のスイッチング信号SW1 と、基準電圧REFV1 と、第２のスイッチング信号SW2 から２Ｖbeだけ降下された信号 SW2〜2Vbeとを受け入れ、ビデオ／ＯＳＤ選択信号Ｖ／Ｏ ＳＥＬを発生して出力する。前記基準信号発生回路336 は、複数の基準電圧を発生して、前記モード制御信号発生回路332 及び出力信号発生回路334 へ供給し、第１ないし第３のバイアス電圧 BS1〜BS3 を発生して図23のインタフェースバッファ310 及び図24及び図25のＯＳＤラスタ選択部320 へ出力する。
【０１０３】
前記基準信号発生回路336 において、直列に接続してある抵抗R61 、R62 、R63 、R64 及びトランジスタQ190は電源電圧ＶCCを分配することにより、一定の大きさを有するノード338 の電圧がトランジスタQ168のベースへ供給され、トランジスタQ168を介して一定の電流が流れるようにする。ノード339 の電圧はトランジスタQ191のベース−エミッタ間電圧だけ降下された後に、トランジスタQ192のベースへ印加される。トランジスタQ192のベースが一定にバイアスされているがために、トランジスタQ191、Q192を介して所定の基準電流Ｉref,11が流れるが、この電流はトランジスタQ182などの各種のトランジスタへ繰り返し流れる。一方、トランジスタQ192のベース電圧は第１のバイアス電圧BS1 として出力される。ノード339 の電圧は第３のバイアス電圧BS3 として出力され、ノード340 の電圧はトランジスタQ193のベース−エミッタ間電圧だけ降下された後に第２のバイアス電圧BS2 として出力される。
【０１０４】
モード制御信号発生回路332 において、トランジスタQ160、Q161は比較器を構成する。トランジスタQ160のベースには、トランジスタQ162、Q163により２Ｖbeだけ降下された第２のスイッチング信号、すなわち、 SW2〜2Vbeが印加される。トランジスタQ161のベースには中間トーン信号HT' が印加される。前記中間トーン信号HT' は中間トーンモードの時３．２Ｖレベルを有する。もし、第２のスイッチング信号SW2 が“ハイ”レベルであれば（ビデオ区間を表す）、トランジスタQ160は活性化し、トランジスタQ161は非活性化する。これにより、トランジスタQ167及び抵抗R52 を介してほとんど電流が流れなくなり、モード制御信号ＨＴ ＲＳは約０Ｖの“ロー”レベルにある。一方、もし、第２のスイッチング信号SW2 が“ロー”レベルであれば（ＯＳＤ区間を表す）、トランジスタQ160は非活性化し、トランジスタQ161は活性化する。これによりトランジスタQ167及び抵抗R52 を介して電流が流れることになる。トランジスタQ164、Q165から構成された電流ミラーにおいて、トランジスタQ165はトランジスタQ164に比べ約４倍の電流を供給することになっている。従って、この際のモード制御信号ＨＴ ＲＳの大きさは数式12で表現され、０．９０２Ｖの“ハイ”レベルにある。
【数１２】
0003735750.tif 000013
【０１０５】
出力信号発生回路336 において、トランジスタQ173、Q176とトランジスタQ177は比較器を構成する。トランジスタQ173のベースには２Ｖbeだけ降下された第１のラスタ選択信号RAS1−2Vbeが印加され、トランジスタQ176のベースには２Ｖbeだけ降下された第２のラスタ選択信号RAS2−2Vbeが印加される。トランジスタQ177のベースには２Ｖbeだけ降下された第２のスイッチング信号、すなわち、 SW2〜2Vbeが印加される。
【０１０６】
前記トランジスタQ173は、中間トーン信号HT' が“ハイ”レベルで、かつ第２のスイッチング信号SW2 が“ロー”レベルの時に限って活性化し、トランジスタQ178、Q179からなるバッファを動作させる。このとき、トランジスタQ178のベースに印加される基準電圧REFV1 がバッファによりバッファリングされ、基準電圧REFV1 から２Ｖbeだけ降下されたトランジスタQ183エミッタ電圧がビデオ／ＯＳＤ選択信号Ｖ／Ｏ ＳＥＬとして出力される。結果的に、中間トーン信号HTが“ハイ”レベルであり、第２のスイッチング信号SW2 が“ロー”レベルであるから、ＯＳＤ中間トーン動作を表す場合には、ビデオ／ＯＳＤ選択信号Ｖ／Ｏ ＳＥＬは基準電圧REFV1 から１Ｖbeだけ降下された電圧、すなわち、基準電圧REFV、REFOに等しい大きさを有する。
【０１０７】
第２のスイッチング信号SW2 が“ハイ”レベル（ビデオ区間のことを表す）であれば、トランジスタQ181のベースに印加される第１のスイッチング信号SW1 がトランジスタQ180、Q181からなるバッファによりバッファリングされた後に出力される。すなわち、このときは、第１のスイッチング信号SW1 から１Ｖbeだけ降下されたレベルがトランジスタQ183エミッタを介してビデオ／ＯＳＤ選択信号Ｖ／Ｏ ＳＥＬとして出力される。結果的に、ビデオ区間では、ビデオ／ＯＳＤ選択信号Ｖ／Ｏ ＳＥＬは第１のスイッチング信号SW1 から１Ｖbeだけ降下された電圧、すなわち、第２のスイッチング信号SW2 に等しい大きさを有する。
【０１０８】
図27（Ａ）ないし図27（Ｃ）は、前記実施例を利用して実現されたオンスクリーンディスプレイ装置ICに対する検証結果を示す波形図である。図27（Ａ）はＲチャンネル出力信号を示し、図27（Ｂ）はＧチャンネル出力信号を示し、図27（Ｃ）はＢチャンネル出力信号を示す。
図27（Ａ）ないし図27（Ｃ）の検証においては、第１のＯＳＤウィンドウの背景画面に青色のラスタが使用され、第２のＯＳＤウィンドウの背景画面に白色のラスタが使用されるよう、ＯＳＤ制御信号HS1 ないしHS6 が夫々“ロー”、“ロー”、“ハイ”、“ハイ”、“ハイ”、“ハイ”に設定してあると仮定する。
区間360 、364 、374 、378 ではビデオ信号のみ出力されることが明らかである。区間362 、366 、372 、376 ではＯＳＤ信号のみ出力されることが明らかである。区間368 、370 ではビデオ信号とＯＳＤ信号がいずれも中間レベルで出力されることが明らかである。従って、この区間ではマイクロコントローラ（図示せず）の制御下にＯＳＤインタフェース（図示せず）から入力されるＯＳＤ背景画面とビデオ映像とが中間トーンで表示される。特に区間368 では、青色からなる第１のＯＳＤウィンドウの背景画面が表示されるが、この青色の背景画面は本発明のオンスクリーンディスプレイに印加されるＯＳＤ制御信号(HS1〜HS3)によって識別される。また、区間370 では白色からなる第２のＯＳＤウィンドウの背景画面が表示されるが、この白色の背景画面は本発明のオンスクリーンディスプレイに印加されるＯＳＤ制御信号 HS4〜HS6 によって識別される。
【０１０９】
オンスクリーンディスプレイ装置の他の例
前記実施形態においては、２枚のＯＳＤウィンドウが表示されると述べられているが、本発明はこれに限定されず、ＯＳＤウィンドウの枚数はこれより多くしても良い。図17または図19の選択信号発生回路201 の場合、ＯＳＤウィンドウの枚数はＯＳＤ背景画面判断部214 、230 の数を増やすことにより拡張される。また、図20の選択信号発生回路201 の場合、ＯＳＤウィンドウの枚数は、図24及び図25の比較回路324 、328 の数とラスタ選択信号RAS1、RAS2の数を増やすことにより拡張される。もちろん、このときＯＳＤ制御信号 HS1〜HS6 の数と図26におけるトランジスタの数も拡大されるべきである。
【０１１０】
前記実施形態においては各ウィンドウに対し８種のＯＳＤラスタの一つが選択できるが、このＯＳＤラスタの選択幅は増減可能である。ＯＳＤラスタの数が減少される場合ＯＳＤ制御信号の数を減少でき、ＯＳＤラスタの数を増やそうとする場合ＯＳＤ制御信号の数は増大すべきである。特に、各ウィンドウに対しＯＳＤラスタの選択幅を別にすることもできる。例えば、第１のウィンドウに対しては８種のＯＳＤラスタのいずれかが選択可能であり、第２のウィンドウに対しては４種のＯＳＤラスタのいずれかが選択可能である。
【０１１１】
一方、図14におけるオンスクリーンディスプレイ装置は、ＯＳＤ信号のスイング幅がビデオ信号のスイング幅に等しくなるようＯＳＤ信号の利得を調整するためのＯＳＤインタフェース回路をさらに含むことができる。この場合、前記ＯＳＤインタフェース回路によりスイング幅の調整されたＯＳＤ信号が図14における混合増幅回路及び選択信号発生回路へ入力される。
【０１１２】
図20の実施例において、ビデオ／ＯＳＤスイッチング部300 は別に用意されず、ＯＳＤ中間トーン信号発生部330 に含まれることもある。
前記実施例においては、一つのビデオ／ＯＳＤ選択信号が図３のビデオ信号選択部７及びＯＳＤ信号選択部８に共通して供給されたが、ビデオ選択信号及びＯＳＤ選択信号を分離させ別々にビデオ信号選択部７及びＯＳＤ信号選択部８へ夫々供給することも可能である。
【０１１３】
複数のＯＳＤウィンドウにおいて一部のウィンドウ内でのみビデオ情報及びＯＳＤ背景画面を中間トーンで表示し、残りのウィンドウ内ではＯＳＤ背景画面を完全なトーンで表示せしめることもある。この表示はＯＳＤ背景画面やＯＳＤ文字及び色相と無関係な組合のＯＳＤ制御信号を印加することにより容易に具現できる。
【０１１４】
【発明の効果】
以上説明したように、本発明によれば、ＯＳＤウィンドウを選択的に中間トーンのビデオ信号で埋めたり、または各種の色相のＯＳＤラスタのいずれかを任意に選択してＯＳＤ背景画面を埋めたり、または前記背景画面に中間トーンのビデオ信号と共に中間トーンのＯＳＤラスタを重畳させて表示することができる。これにより、ディスプレイ装置が利用される応用分野に応じてＯＳＤウィンドウの表示モードを多様にプログラミングでき、ディスプレイ装置の製造業者が最終需要者の好みに対応できるといった利点がある。かかるオンスクリーンディスプレイ装置は、モニタや薄膜トランジスタ液晶表示装置（TFT LCD ）など種々なる表示装置に適用可能である。
【図面の簡単な説明】
【図１】本発明に係るオンスクリーンディスプレイ装置の一実施形態のブロック図。
【図２】ＯＳＤウィンドウ内において、ＯＳＤ制御信号によるビデオ信号及びＯＳＤラスタが中間トーンで表示される区間とこの際のＯＳＤラスタ色相を示す図。
【図３】図１の映像信号混合増幅回路のいずれか一つの詳細ブロック図。
【図４】図１の選択信号発生回路の一実施例の回路図。
【図５】図４に示す回路において入力信号による出力信号を示す波形図。
【図６】図４に示す回路において入力信号による出力信号を示す波形図。
【図７】図４に示す回路において入力信号による出力信号を示す波形図。
【図８】図１の選択信号発生回路の他の実施例のブロック図。
【図９】図８のビデオ／ＯＳＤスイッチング部の回路図。
【図１０】図９のビデオ／ＯＳＤスイッチング部において入力信号による出力信号を示す波形図。
【図１１】図８のＯＳＤラスタ選択部の回路図。
【図１２】図８のＯＳＤ中間トーン信号発生部の回路図。
【図１３】前記図８の実施例を使用し実現されたオンスクリーンディスプレイ装置集積回路に対するシミュレーション結果を示す波形図。
【図１４】本発明に係るオンスクリーンディスプレイ装置の他の実施形態のブロック図。
【図１５】第１のウィンドウ内においてＯＳＤ制御信号によるビデオ信号及びＯＳＤラスタが中間トーンで表示される区間とこの際のＯＳＤラスタ色相を示す図。
【図１６】図14の映像信号混合増幅回路のいずれか一つの詳細ブロック図。
【図１７】図14の選択信号発生回路の一実施例の回路図。
【図１８】図17に示す回路において入力信号による出力信号を示す図。
【図１９】図17の選択信号発生回路の変形された実施例の回路図。
【図２０】図14の選択信号発生回路の他の実施例のブロック図。
【図２１】図20のビデオ／ＯＳＤスイッチング部の回路図。
【図２２】図21のビデオ／ＯＳＤスイッチング部において入力信号による出力信号を示す波形図。
【図２３】図20のインタフェースバッファの回路図。
【図２４】図20のＯＳＤラスタ選択部の回路図。
【図２５】図20のＯＳＤラスタ選択部の回路図。
【図２６】図20のＯＳＤ中間トーン信号発生部の回路図。
【図２７】図20の実施例を使用し実現されたオンスクリーンディスプレイ装置ICに対する検証結果を示す波形図。
【図２８】ＯＳＤウィンドウ領域ではビデオ信号を遮断し、特定の色相のＯＳＤ背景画面にＯＳＤ文字のみ表示する技法により表示された画面の一例を示す図。
【図２９】一枚のＯＳＤウィンドウ内においてビデオ信号及びＯＳＤ背景画面ラスタが中間トーンで表示された画面の一例を示す図。
【図３０】本発明に係るオンスクリーンディスプレイ装置により複数のＯＳＤウィンドウ内においてビデオ信号及びＯＳＤ背景画面ラスタが中間トーンで表示された画面の一例を示す図。
【符号の説明】
１    選択信号発生回路
３，４，５    混合増幅回路
Ｒ ＯＳＤ，Ｇ ＯＳＤ，Ｂ ＯＳＤ    ＯＳＤ信号
Ｖ／Ｏ ＳＷＩＴＣＨ    ビデオ／ＯＳＤＦスイッチング信号
HT    中間トーン信号
HS0, HS1    ＯＳＤ制御信号
Ｖ／Ｏ ＳＥＬ    ビデオ／ＯＳＤ選択信号
【図１】
0003735750.tif 000014
【図２】
0003735750.tif 000015
【図３】
0003735750.tif 000016
【図４】
0003735750.tif 000017
【図５】
0003735750.tif 000018
【図６】
0003735750.tif 000019
【図７】
0003735750.tif 000020
【図８】
0003735750.tif 000021
【図９】
0003735750.tif 000022
【図１０】
0003735750.tif 000023
【図１１】
0003735750.tif 000024
【図１２】
0003735750.tif 000025
【図１３】
0003735750.tif 000026
【図１４】
0003735750.tif 000027
【図１５】
0003735750.tif 000028
【図１６】
0003735750.tif 000029
【図１７】
0003735750.tif 000030
【図１８】
0003735750.tif 000031
【図１９】
0003735750.tif 000032
【図２０】
0003735750.tif 000033
【図２１】
0003735750.tif 000034
【図２２】
0003735750.tif 000035
【図２３】
0003735750.tif 000036
【図２４】
0003735750.tif 000037
【図２５】
0003735750.tif 000038
【図２６】
0003735750.tif 000039
【図２７】
0003735750.tif 000040
【図２８】
0003735750.tif 000041
【図２９】
0003735750.tif 000042
【図３０】
0003735750.tif 000043